(57)【要約】【課題】【解決手段】本発明において、送信装置はＳＤＵ要素を含むプロトコルデータユニット（ｐｒｏｔｏｃｏｌ  ｄａｔａ  ｕｎｉｔ、ＰＤＵ）を生成するためにサービスデータユニット（ｓｅｒｖｉｃｅ  ｄａｔａ  ｕｎｉｔ、ＳＤＵ）要素（ｅｌｅｍｅｎｔ）のそれぞれに対するシーケンス番号（ＳＮ）を付け加える。前記ＳＤＵ要素のそれぞれはＳＤＵ又はＳＤＵセグメントである。前記ＰＤＵは前記ＳＤＵ要素及び前記ＳＤＵ要素のそれぞれのＳＮを含む。前記ＰＤＵは前記ＳＤＵ要素のそれぞれに対する指示子を含み、前記指示子は該当ＳＤＵ要素がＳＤＵであるか又はＳＤＵセグメントであるかを示す。【選択図】図７
2019514249.tif 000002
【特許請求の範囲】
【請求項１】
送信装置がデータユニットを送信する方法であって、
サービスデータユニット（ｓｅｒｖｉｃｅ  ｄａｔａ  ｕｎｉｔ、ＳＤＵ）要素にシーケンス番号をそれぞれ付け加える段階と、
前記シーケンス番号及び前記ＳＤＵ要素を含む第１プロトコルデータユニット（ｐｒｏｔｏｃｏｌ  ｄａｔａ  ｕｎｉｔ、ＰＤＵ）を生成する段階と、
前記第１ＰＤＵを送信する段階を含み、
ＳＤＵ要素のそれぞれはＳＤＵ又はＳＤＵセグメントであり、
前記第１ＰＤＵは前記ＳＤＵセグメントのそれぞれに対する指示子を含み、前記指示子は該当ＳＤＵ要素がＳＤＵであるか又はＳＤＵセグメントであるかを示す、データユニット送信方法。
【請求項２】
第１ＳＤＵのＳＤＵセグメントを第２ＳＤＵ要素として含み、前記第２ＳＤＵ要素に対するシーケンス番号を含む第２ＰＤＵを生成する段階をさらに含み、
前記第１ＰＤＵは前記第１ＳＤＵの第１セグメントを前記ＳＤＵ要素の一つとして含み、
前記第１ＰＤＵ内の前記第１セグメントに対するシーケンス番号と前記第２ＰＤＵ内の前記第２セグメントに対するシーケンス番号は同一である、請求項１に記載のデータユニット送信方法。
【請求項３】
前記第１ＰＤＵが第１ＳＤＵセグメントを前記ＳＤＵ要素の一つとして含む場合、前記第１ＰＤＵは原本（ｏｒｉｇｉｎａｌ）ＳＤＵ内の前記第１ＳＤＵセグメントの位置を示す情報をさらに含む、請求項１に記載のデータユニット送信方法。
【請求項４】
前記情報は前記原本ＳＤＵ内の前記第１ＳＤＵセグメントのセグメント順に相当する、請求項４に記載のデータユニット送信方法。
【請求項５】
前記シーケンス番号のそれぞれは該当ＳＤＵを特異的に識別する、請求項１に記載のデータユニット送信方法。
【請求項６】
前記第１ＰＤＵが第１ＳＤＵセグメントを前記ＳＤＵ要素の一つとして含む場合、前記第１ＳＤＵセグメントに対するシーケンス番号は前記第１ＳＤＵセグメントが由来したＳＤＵを識別する、請求項１に記載のデータユニット送信方法。
【請求項７】
前記第１ＰＤＵは前記ＳＤＵ要素のそれぞれに対してフレーミング情報（ｆｒａｍｉｎｇ  ｉｎｆｏ、ＦＩ）フィールドをさらに含み、
前記ＳＤＵ要素のそれぞれに対する前記ＦＩフィールドは該当ＳＤＵ要素の最初のバイトが該当原本ＳＤＵの最初のバイトであるか及び前記該当ＳＤＵ要素の最後のバイトが前記該当原本ＳＤＵの最後のバイトであるかを示す、請求項１に記載のデータユニット送信方法。
【請求項８】
前記ＳＤＵ要素は前記第１ＰＤＵ内にシーケンス番号の順に位置する、請求項７に記載のデータユニット送信方法。
【請求項９】
前記第１ＰＤＵが一つ又は二つのＳＤＵセグメントを含む場合、前記一つ又は二つのＳＤＵセグメントは前記第１ＰＤＵ内にシーケンス番号の順に位置する、請求項７に記載のデータユニット送信方法。
【請求項１０】
前記ＳＤＵはＲＬＣ  ＳＤＵであり、前記ＳＤＵセグメントはＲＬＣ  ＳＤＵセグメントであり、前記第１ＰＤＵはＭＡＣ  ＰＤＵである、請求項１に記載のデータユニット送信方法。
【請求項１１】
送信装置がデータユニットを送信するに装置であって、
無線周波数（ｒａｄｉｏ  ｆｒｅｑｕｅｎｃｙ、ＲＦ）ユニットと、
ＲＦユニットを制御するように構成されたプロセッサを含み、
前記プロセッサは、
サービスデータユニット（ｓｅｒｖｉｃｅ  ｄａｔａ  ｕｎｉｔ、ＳＤＵ）要素にシーケンス番号をそれぞれ付け加え、
前記シーケンス番号及び前記ＳＤＵ要素を含む第１プロトコルデータユニット（ｐｒｏｔｏｃｏｌ  ｄａｔａ  ｕｎｉｔ、ＰＤＵ）を生成し、
前記第１ＰＤＵを送信するように前記ＲＦユニットを制御し、
ＳＤＵ要素のそれぞれはＳＤＵ又はＳＤＵセグメントであり、
前記第１ＰＤＵは前記ＳＤＵセグメントのそれぞれに対する指示子を含み、前記指示子は該当ＳＤＵ要素がＳＤＵであるか又はＳＤＵセグメントであるかを示す、送信装置。
【請求項１２】
前記プロセッサは第１ＳＤＵのＳＤＵセグメントを第２ＳＤＵ要素として含むとともに前記第２ＳＤＵ要素に対するシーケンス番号を含む第２ＰＤＵを生成し、
前記第１ＰＤＵは前記第１ＳＤＵの第１セグメントを前記ＳＤＵ要素の一つとして含み、
前記第１ＰＤＵ内の前記第１セグメントに対するシーケンス番号と前記第２ＰＤＵ内の前記第２セグメントに対するシーケンス番号は同一である、請求項１１に記載の送信装置。
【請求項１３】
前記第１ＰＤＵが第１ＳＤＵセグメントを前記ＳＤＵ要素の一つとして含む場合、前記第１ＰＤＵは原本（ｏｒｉｇｉｎａｌ）ＳＤＵ内の前記第１ＳＤＵセグメントの位置を示す情報をさらに含む、請求項１１に記載の送信装置。
【請求項１４】
前記情報は前記原本ＳＤＵ内の前記第１ＳＤＵセグメントのセグメント順に相当する、請求項１４に記載の送信装置。
【請求項１５】
前記シーケンス番号のそれぞれは該当ＳＤＵを特異的に識別する、請求項１１に記載の送信装置。
【請求項１６】
前記第１ＰＤＵが第１ＳＤＵセグメントを前記ＳＤＵ要素の一つとして含む場合、前記第１ＳＤＵセグメントに対するシーケンス番号は前記第１ＳＤＵセグメントが由来したＳＤＵを識別する、請求項１１に記載の送信装置。
【請求項１７】
前記第１ＰＤＵは前記ＳＤＵ要素のそれぞれに対してフレーミング情報（ｆｒａｍｉｎｇ  ｉｎｆｏ、ＦＩ）フィールドをさらに含み、
前記ＳＤＵ要素のそれぞれに対する前記ＦＩフィールドは該当ＳＤＵ要素の最初のバイトが該当原本ＳＤＵの最初のバイトであるか及び前記該当ＳＤＵ要素の最後のバイトが前記該当原本ＳＤＵの最後のバイトであるかを示す、請求項１１に記載の送信装置。
【請求項１８】
前記ＳＤＵ要素は前記第１ＰＤＵ内にシーケンス番号の順に位置する、請求項１７に記載の送信装置。
【請求項１９】
前記第１ＰＤＵが一つ又は二つのＳＤＵセグメントを含めば、前記一つ又は二つのＳＤＵセグメントは前記第１ＰＤＵ内にシーケンス番号の順に位置する、請求項１７に記載の送信装置。
【請求項２０】
前記ＳＤＵはＲＬＣ  ＳＤＵであり、前記ＳＤＵセグメントはＲＬＣ  ＳＤＵセグメントであり、前記第１ＰＤＵはＭＡＣ  ＰＤＵである、請求項１１に記載の送信装置。
【発明の詳細な説明】
【技術分野】
【０００１】
本発明は無線通信システムに関し、より詳しくはデータユニットを送信する方法及び装置に関する
【背景技術】
【０００２】
本発明を適用できる無線通信システムの一例として、３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；以下、“ＬＴＥ”という）通信システムについて概略的に説明する。
【０００３】
図１は、無線通信システムの一例として、Ｅ−ＵＭＴＳ網の構造を概略的に示した図である。Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、既存のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進化したシステムであって、現在、３ＧＰＰで基礎的な標準化作業を進めている。一般に、Ｅ−ＵＭＴＳは、ＬＴＥ（Ｌｏｎｇ  Ｔｅｒｍ  Ｅｖｏｌｕｔｉｏｎ）システムと称することもできる。ＵＭＴＳ及びＥ−ＵＭＴＳの技術規格（ｔｅｃｈｎｉｃａｌ  ｓｐｅｃｉｆｉｃａｔｉｏｎ）の詳細な内容は、それぞれ「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ  ７とＲｅｌｅａｓｅ  ８を参照することができる。
【０００４】
図１を参照すると、Ｅ−ＵＭＴＳは、端末（Ｕｓｅｒ  Ｅｑｕｉｐｍｅｎｔ；ＵＥ）、基地局（ｅＮｏｄｅ  Ｂ；ｅＮＢ）、及びネットワーク（Ｅ−ＵＴＲＡＮ）の終端に位置し、外部ネットワークと接続される接続ゲートウェイ（Ａｃｃｅｓｓ  Ｇａｔｅｗａｙ；ＡＧ）を含む。基地局は、ブロードキャストサービス、マルチキャストサービス及び／又はユニキャストサービスのために多重データストリームを同時に送信することができる。
【０００５】
一つの基地局には一つ以上のセルが存在する。セルは、１．２５Ｍｈｚ、２．５Ｍｈｚ、５Ｍｈｚ、１０Ｍｈｚ、１５Ｍｈｚ、２０Ｍｈｚなどの帯域幅のうち一つに設定され、多くの端末に下りリンク又は上りリンク送信サービスを提供する。互いに異なるセルは、互いに異なる帯域幅を提供するように設定することができる。基地局は、複数の端末に対するデータ送受信を制御する。下りリンク（Ｄｏｗｎｌｉｎｋ；ＤＬ）データに対して、基地局は、下りリンクスケジューリング情報を送信し、該当の端末にデータが送信される時間／周波数領域、符号化、データサイズ、ＨＡＲＱ（Ｈｙｂｒｉｄ  Ａｕｔｏｍａｔｉｃ  Ｒｅｐｅａｔ  ａｎｄ  ｒｅＱｕｅｓｔ）関連情報などを知らせる。また、上りリンク（Ｕｐｌｉｎｋ；ＵＬ）データに対して、基地局は、上りリンクスケジューリング情報を該当の端末に送信し、該当の端末が使用可能な時間／周波数領域、符号化、データサイズ、ＨＡＲＱ関連情報などを知らせる。各基地局間には、ユーザトラフィック又は制御トラフィックの送信のためのインターフェースを使用することができる。核心網（Ｃｏｒｅ  Ｎｅｔｗｏｒｋ；ＣＮ）は、ＡＧ及び端末のユーザ登録などのためのネットワークノードなどで構成することができる。ＡＧは、複数のセルで構成されるＴＡ（Ｔｒａｃｋｉｎｇ  Ａｒｅａ）単位で端末の移動性を管理する。
【０００６】
無線通信技術は、ＷＣＤＭＡに基づいてＬＴＥまで開発されてきたが、ユーザと事業者の要求と期待は持続的に増加している。また、他の無線接続技術が継続して開発されているので、今後、競合力を有するためには新たな技術進化が要求され、ビット当たりの費用減少、サービス可用性増大、融通性のある周波数バンドの使用、単純構造と開放型インターフェース、端末の適切なパワー消耗などが要求される。
【０００７】
より多くの通信装置がより大きい通信容量を要求することにより、レガシー無線アクセス技術（ｒａｄｉｏ  ａｃｃｅｓｓ  ｔｅｃｈｎｏｌｏｇｙ；ＲＡＴ）に比べて向上したモバイル広帯域通信に対する必要性が台頭しつつある。また、複数の装置と客体（ｏｂｊｅｃｔ）とを相互接続していつどこでも様々なサービスを提供するための大規模機械タイプ通信（ｍａｓｓｉｖｅ  ｍａｃｈｉｎｅ  ｔｙｐｅ  ｃｏｍｍｕｎｉｃａｔｉｏｎ；ｍＭＴＣ）は、次世代通信において考慮すべき主要争点の一つである。また、信頼度及び待機時間に敏感なサービス／ＵＥを考慮して設計される通信システムに関する議論が進行中である。次世代（ｎｅｘｔ  ｇｅｎｅｒａｔｉｏｎ）無線アクセス技術の導入は、向上したモバイル広帯域通信（ｅＭＢＢ）、ｍＭＴＣ、超高信頼性及び低待機時間通信（ｕｌｔｒａ−ｒｅｌｉａｂｌｅ  ａｎｄ  ｌｏｗ  ｌａｔｅｎｃｙ  ｃｏｍｍｕｎｉｃａｔｉｏｎ；ＵＲＬＬＣ）などを考慮して論議されている。
【発明の概要】
【発明が解決しようとする課題】
【０００８】
新しい無線通信技術の導入から、基地局が所定リソース領域でサービスを提供すべきＵＥの個数が増加するだけでなく、上記基地局がサービスを提供するＵＥと送信／受信するデータと制御情報の量も増加している。基地局がＵＥとの通信に利用可能な無線リソースの量は有限のため、基地局が有限の無線リソースを用いて上りリンク／下りリンクデータ及び／又は上りリンク／下りリンク制御情報をＵＥから／に効率的に受信／送信するための新しい方案が要求される。
【０００９】
なお、技術の発達に伴ってディレイ（ｄｅｌａｙ）或いは遅延（ｌａｔｅｎｃｙ）の克服が重要な課題として台頭しつつある。性能がディレイ／遅延によって大きく左右されるアプリケーションが増加していることから、既存システムに比べてディレイ／遅延を減らすための方案が要求されている。
【００１０】
また、スマート機器の発達に伴って、少ない量のデータを効率的に送信／受信或いは低い頻度で発生するデータを効率的に送信／受信するための新しい方案も要求されている。
【００１１】
また、新しい無線接続技術を支援するシステムで効率的に信号を送信／受信する方法が要求される。
【００１２】
本発明が遂げようとする技術的課題は、以上で言及した技術的課題に制限されず、言及していない他の技術的課題は、以下の発明の詳細な説明から、本発明の属する技術の分野における通常の知識を有する者には明確に理解されるであろう。
【課題を解決するための手段】
【００１３】
本発明において、送信装置は前記ＳＤＵ要素を含むプロトコルデータユニット（ｐｒｏｔｏｃｏｌ  ｄａｔａ  ｕｎｉｔ、ＰＤＵ）を生成するためにサービスデータユニット（ｓｅｒｖｉｃｅ  ｄａｔａ  ｕｎｉｔ、ＳＤＵ）要素（ｅｌｅｍｅｎｔ）のそれぞれにシーケンス番号（ＳＮ）を付け加える。前記ＳＤＵ要素のそれぞれはＳＤＵ又はＳＤＵセグメントである。前記ＰＤＵは前記ＳＤＵ要素及び前記ＳＤＵ要素のそれぞれのＳＮを含む。前記ＰＤＵは前記ＳＤＵ要素のそれぞれに対する指示子を含み、前記指示子は該当ＳＤＵ要素がＳＤＵであるか又はＳＤＵセグメントであるかを示す。
【００１４】
本発明の一態様において、送信データユニットを送信する方法が提供される。前記方法は、サービスデータユニット（ｓｅｒｖｉｃｅ  ｄａｔａ  ｕｎｉｔ、ＳＤＵ）要素にシーケンス番号をそれぞれ付加する段階と、前記シーケンス番号及び前記ＳＤＵ要素を含む第１プロトコルデータユニット（ｐｒｏｔｏｃｏｌ  ｄａｔａ  ｕｎｉｔ、ＰＤＵ）を生成する段階と、前記第１ＰＤＵを送信する段階を含む。ＳＤＵ要素のそれぞれはＳＤＵ又はＳＤＵセグメントである。前記第１ＰＤＵは前記ＳＤＵセグメントのそれぞれに対する指示子を含む。前記指示子は該当ＳＤＵ要素がＳＤＵであるか又はＳＤＵセグメントであるかを示す。
【００１５】
本発明の他の態様において、データユニットを送信する送信装置が提供される。前記送信装置は、無線周波数（ｒａｄｉｏ  ｆｒｅｑｕｅｎｃｙ、ＲＦ）ユニット、及びＲＦユニットを制御するように構成されたプロセッサを含む。前記プロセッサは、サービスデータユニット（ｓｅｒｖｉｃｅ  ｄａｔａ  ｕｎｉｔ、ＳＤＵ）要素にシーケンス番号をそれぞれ付け加え、前記シーケンス番号及び前記ＳＤＵ要素を含む第１プロトコルデータユニット（ｐｒｏｔｏｃｏｌ  ｄａｔａ  ｕｎｉｔ、ＰＤＵ）を生成し、前記第１ＰＤＵを送信するように前記ＲＦユニットを制御する。ＳＤＵ要素のそれぞれはＳＤＵ又はＳＤＵセグメントである。前記第１ＰＤＵは前記ＳＤＵセグメントのそれぞれに対する指示子を含む。前記指示子は該当ＳＤＵ要素がＳＤＵであるか又はＳＤＵセグメントであるかを示す。
【００１６】
本発明の各態様において、第１ＳＤＵのＳＤＵセグメントを第２ＳＤＵ要素として含む第２ＰＤＵが生成されることができる。前記第２ＰＤＵは前記第２ＳＤＵ要素に対するシーケンス番号を含むことができる。前記第１ＰＤＵは前記第１ＳＤＵの第１セグメントを前記ＳＤＵ要素の一つとして含むことができる。前記第１ＰＤＵ内の前記第１セグメントに対するシーケンス番号と前記第２ＰＤＵ内の前記第２セグメントに対するシーケンス番号が同一であってもよい。
【００１７】
本発明の各態様において、前記第１ＰＤＵが第１ＳＤＵセグメントを前記ＳＤＵ要素の一つとして含む場合、前記第１ＰＤＵは原本（ｏｒｉｇｉｎａｌ）ＳＤＵ内の前記第１ＳＤＵセグメントの位置を示す情報をさらに含むことができる。
【００１８】
本発明の各態様において、前記情報は前記原本ＳＤＵ内の前記第１ＳＤＵセグメントのセグメント順に相当することができる。
【００１９】
本発明の各態様において、前記シーケンス番号のそれぞれは該当ＳＤＵを特異的に識別することができる。
【００２０】
本発明の各態様において、前記第１ＰＤＵが第１ＳＤＵセグメントを前記ＳＤＵ要素の一つとして含む場合、前記第１ＳＤＵセグメントに対するシーケンス番号は前記第１ＳＤＵセグメントが由来したＳＤＵを識別することができる。
【００２１】
本発明の各態様において、前記第１ＰＤＵは前記ＳＤＵ要素のそれぞれに対してフレーミング情報（ｆｒａｍｉｎｇ  ｉｎｆｏ、ＦＩ）フィールドをさらに含むことができる。前記ＳＤＵ要素のそれぞれに対する前記ＦＩフィールドは該当ＳＤＵ要素の最初のバイトが該当原本ＳＤＵの最初のバイトであるか及び前記該当ＳＤＵ要素の最後のバイトが前記該当原本ＳＤＵの最後のバイトであるかを示すことができる。
【００２２】
本発明の各態様において、前記ＳＤＵ要素は前記第１ＰＤＵ内にシーケンス番号の順に位置することができる。
【００２３】
本発明の各態様において、前記第１ＰＤＵが一つ又は二つのＳＤＵセグメントを含む場合、前記一つ又は二つのＳＤＵセグメントは前記第１ＰＤＵ内にシーケンス番号の順に位置することができる。
【００２４】
本発明の各態様において、前記ＳＤＵはＲＬＣ  ＳＤＵであってもよく、前記ＳＤＵセグメントはＲＬＣ  ＳＤＵセグメントであってもよく、前記第１ＰＤＵはＭＡＣ  ＰＤＵであってもよい。
【００２５】
上記の課題解決方法は、本発明の実施例の一部に過ぎず、当該技術の分野における通常の知識を有する者にとっては、本願発明の技術的特徴が反映された様々な実施例を、以下に説明する本発明の詳細な説明から導出できるということは明らかであろう。
【発明の効果】
【００２６】
本発明によれば、上りリンク／下りリンク信号を効率的に送信／受信することができる。これによって、無線通信システムの全体処理量（ｔｈｒｏｕｇｈｐｕｔ）が向上する。
【００２７】
本発明の一実施例によれば、低価／低複雑度のＵＥがレガシーシステムと互換性を維持しながら低コストで基地局（ｂａｓｅ  ｓｔａｔｉｏｎ；ＢＳ）と通信を行うことができる。
【００２８】
本発明の一実施例によれば、低価／低複雑度のＵＥを実現することができる。
【００２９】
本発明の一実施例によれば、ＵＥとＢＳとが低い帯域（ｎａｒｒｏｗｂａｎｄ）で互いに通信を行うことができる。
【００３０】
本発明の一実施例によれば、ＵＥとＢＳとの通信過程において発生するディレイ／遅延を低くできる。
【００３１】
また、スマート機器のための少ない量のデータを効率的に送信／受信或いは低い頻度で発生するデータを効率的に送信／受信することができる。
【００３２】
また、新しい無線接続技術を支援するシステムで信号が効率的に送信／受信されることができる。
【００３３】
本発明の一実施例によれば、少ない量のデータを効率的に送信／受信することができる。
【００３４】
本発明に係る効果は、以上で言及した効果に制限されず、言及していない他の効果は、以下の発明の詳細な説明から、本発明の属する技術の分野における通常の知識を有する者には明確に理解されるであろう。
【図面の簡単な説明】
【００３５】
本発明に関する理解を助けるために詳細な説明の一部として含まれる添付の図面は、本発明に関する実施例を提供し、詳細な説明と共に本発明の技術的思想を説明する。
【図１】無線通信システムの一例としてＥ−ＵＭＴＳネットワーク構造を概略的に示す図である。
【図２】Ｅ−ＵＴＲＡＮ（Ｅｖｏｌｖｅｄ−Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）構造を示すブロック図である。
【図３】一般的なＥ−ＵＴＲＡＮ及びＥＰＣの構造を示すブロック図である。
【図４】３ＧＰＰ無線接続網規格に基づくユーザ機器（ｕｓｅｒ  ｅｑｕｉｐｍｅｎｔ；ＵＥ）とＥ−ＵＴＲＡＮとの間の無線インターフェースプロトコル（ｒａｄｉｏ  ｉｎｔｅｒｆａｃｅ  ｐｒｏｔｏｃｏｌ）の制御平面（ｃｏｎｔｒｏｌ  ｐｌａｎｅ；ＣＰ）及びユーザ平面（ｕｓｅｒ  ｐｌａｎｅ；ＵＰ）の構造を示す図である。
【図５】Ｅ−ＵＭＴＳシステムにおいて用いる物理チャネル構造の一例を示す図である。
【図６】次世代システムにおいてプロトコル階層間の機能的分離（ｓｐｌｉｔ）オプションの例を示す図である。
【図７】本発明によるＬ２エンティティの例を示す図である。
【図８】本発明によるＬ２エンティティの例を示す図である。
【図９】本発明によるＳＤＵ又はＳＤＵセグメントに対する（サブ）ヘッダーの例を示す図である。
【図１０】本発明を実行する送信装置１００及び受信装置２００の構成要素を示すブロック図である。
【発明を実施するための形態】
【００３６】
以下、本発明に係る好適な実施の形態を、添付の図面を参照して詳しく説明する。添付の図面と共に以下に開示される詳細な説明は、本発明の例示的な実施の形態を説明するためのものであり、本発明が実施し得る唯一の実施の形態を示すためのものではない。以下の詳細な説明は、本発明の完全な理解を提供するために具体的な細部事項を含む。しかし、当業者にとってはこのような具体的な細部事項なしにも本発明を実施できることは明らかである。
【００３７】
いくつかの場合、本発明の概念が曖昧になることを避けるために、公知の構造及び装置を省略したり、各構造及び装置の核心機能を中心にしたブロック図の形式で示すことができる。また、本明細書全体を通じて同一の構成要素については、同一の図面符号を付して説明する。
【００３８】
以下に説明する技法（ｔｅｃｈｎｉｑｕｅ）及び装置、システムは、様々な無線多元接続システムに適用することができる。多元接続システムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システム、ＭＣ−ＦＤＭＡ（ｍｕｌｔｉ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）又はＣＤＭＡ２０００のような無線技術（ｔｅｃｈｎｏｌｏｇｙ）によって具現することができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）、ＧＰＲＳ（Ｇｅｎｅｒａｌ  Ｐａｃｋｅｔ  Ｒａｄｉｏ  Ｓｅｒｖｉｃｅ）、ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）（ｉ．ｅ．，ＧＥＲＡＮ）などのような無線技術によって具現することができる。ＯＦＤＭＡは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１（Ｗｉ−Ｆｉ）、ＩＥＥＥ８０２．１６（ＷｉＭＡＸ）、ＩＥＥＥ８０２−２０、Ｅ−ＵＴＲＡ（ｅｖｏｌｖｅｄ−ＵＴＲＡ）などのような無線技術によって具現することができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）の一部であり、３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）は、Ｅ−ＵＴＲＡを用いるＥ−ＵＭＴＳの一部である。３ＧＰＰ  ＬＴＥは、下りリンク（ｄｏｗｎｌｉｎｋ、ＤＬ）ではＯＦＤＭＡを採択し、上りリンク（ｕｐｌｉｎｋ、ＵＬ）ではＳＣ−ＦＤＭＡを採択している。ＬＴＥ−Ａ（ＬＴＥ−ａｄｖａｎｃｅｄ）は、３ＧＰＰ  ＬＴＥの進化した形態である。説明の便宜のために、以下では、本発明が３ＧＰＰ  ＬＴＥ／ＬＴＥ−Ａに適用される場合を仮定して説明する。しかし、本発明の技術的特徴がこれに制限されるものではない。例えば、以下の詳細な説明が、移動通信システムが３ＧＰＰ  ＬＴＥ／ＬＴＥ−Ａシステムに対応する移動通信システムに基づいて説明されても、３ＧＰＰ  ＬＴＥ／ＬＴＥ−Ａ特有の事項以外は、他の任意の移動通信システムにも適用可能である。
【００３９】
例えば、本発明は、３ＧＰＰ  ＬＴＥ／ＬＴＥ−Ａシステムのように、ｅＮＢがＵＥに下りリンク／上りリンク時間／周波数リソースを割り当て、ＵＥがｅＮＢの割当てによって下りリンク信号を受信し、上りリンク信号を送信する非−競合ベース（ｎｏｎ−ｃｏｎｔｅｎｔｉｏｎ  ｂａｓｅｄ）通信だけでなく、Ｗｉ−Ｆｉのような競合ベース（ｃｏｎｔｅｎｔｉｏｎ  ｂａｓｅｄ）通信にも適用することができる。非−競合ベース通信技法は、接続ポイント（ａｃｃｅｓｓ  ｐｏｉｎｔ、ＡＰ）或いは上記接続ポイントを制御する制御ノード（ｎｏｄｅ）が、ＵＥと上記ＡＰ間の通信のためのリソースを割り当てるが、競合ベース通信技法は、ＡＰに接続しようとする複数ＵＥ間の競合によって通信リソースが占有される。競合ベース通信技法についして簡略に説明すると、競合ベース通信技法の一種として搬送波感知多元接続（ｃａｒｒｉｅｒ  ｓｅｎｓｅ  ｍｕｌｔｉｐｌｅ  ａｃｃｅｓｓ、ＣＳＭＡ）がある。ＣＳＭＡとは、ノード或いは通信機器が周波数帯域（ｂａｎｄ）のような、共有送信媒体（ｓｈａｒｅｄ  ｔｒａｎｓｍｉｓｓｉｏｎ  ｍｅｄｉｕｍ）（共有チャネルともいう。）上でトラフィック（ｔｒａｆｆｉｃ）を送信する前に、同一の共有送信媒体上に他のトラフィックがないことを確認する確率的（ｐｒｏｂａｂｉｌｉｓｔｉｃ）媒体接続制御（ｍｅｄｉａ  ａｃｃｅｓｓ  ｃｏｎｔｒｏｌ、ＭＡＣ）プロトコル（ｐｒｏｔｏｃｏｌ）を指す。ＣＳＭＡにおいて送信装置は受信装置にトラフィックを送ることを試みる前に、他の送信が進行中であるか否か決定する。換言すれば、送信装置は、送信を試みる前に、他の送信装置からの搬送波（ｃａｒｒｉｅｒ）の存在を検出（ｄｅｔｅｃｔ）することを試みる。搬送波が感知されると、送信装置は、自身の送信を開始する前に、進行中の他の送信装置によって送信が完了（ｆｉｎｉｓｈ）することを待つ。結局、ＣＳＭＡは、“ｓｅｎｓｅ  ｂｅｆｏｒｅ  ｔｒａｎｓｍｉｔ”或いは“ｌｉｓｔｅｎ  ｂｅｆｏｒｅ  ｔａｌｋ”の原理を基盤にした通信技法といえる。ＣＳＭＡを用いる競合ベース通信システムにおいて送信装置間の衝突を回避するための技法としてＣＳＭＡ／ＣＤ（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ｄｅｔｅｃｔｉｏｎ）及び／又はＣＳＭＡ／ＣＡ（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ａｖｏｉｄａｎｃｅ）が用いられる。ＣＳＭＡ／ＣＤは、有線ＬＡＮ環境での衝突検出技法であり、イーサネット（ｅｔｈｅｒｎｅｔ）環境で通信をしようとするＰＣ（Ｐｅｒｓｏｎａｌ  Ｃｏｍｐｕｔｅｒ）やサーバー（ｓｅｒｖｅｒ）がまず、ネットワーク上で通信が行われているか確認した後、他の装置（ｄｅｖｉｃｅ）がデータを上記ネットワーク上で載せて送っていると、待ってからデータを送る。すなわち、２人以上のユーザ（例、ＰＣ、ＵＥなど）が同時にデータを乗せて送る場合、上記同時送信間に衝突が発生するが、ＣＳＭＡ／ＣＤは、上記衝突を監視し、柔軟性あるデータ送信がなされるようにする技法である。ＣＳＭＡ／ＣＤを用いる送信装置は、特定規則を用いて他の送信装置によるデータ送信を感知し、自身のデ���タ送信を調節する。ＣＳＭＡ／ＣＡは、ＩＥＥＥ８０２．１１標準に明示されている媒体接近制御プロトコルである。ＩＥＥＥ８０２．１１標準に従うＷＬＡＮシステムは、ＩＥＥＥ８０２．３標準で用いられたＣＳＭＡ／ＣＤを用いず、ＣＡ、すなわち、衝突を回避する方式を用いている。送信装置は、常にネットワークの搬送波を感知しているが、ネットワークが空になると、目録に登載された自身の位置によって、定められた時間を待ってからデータを送る。目録内で送信装置間の優先順位を決め、これを再設定（ｒｅｃｏｎｆｉｇｕｒａｔｉｏｎ）するためには様々方法を用いることができる。ＩＥＥＥ８０２．１１標準の一部バージョンに従うシステムでは、衝突が起きることがあり、この場合には衝突感知手順が行われる。ＣＳＭＡ／ＣＡを用いる送信装置は、特定規則を用いて、他の送信装置によるデータ送信と自身のデータ送信間の衝突を回避する。
【００４０】
後述する本発明の実施例において「仮定する」という表現は、チャネルを送信する主体が該当の「仮定」に符合するように上記チャネルを送信することを意味できる。上記チャネルを受信する主体は、上記チャネルが該当の「仮定」に符合するように送信されたという前提下に、該当の「仮定」に符合する形態で上記チャネルを受信或いは復号するものであることを意味できる。
【００４１】
本発明において、ＵＥは、固定していても移動性を有してもよく、基地局（ｂａｓｅ  ｓｔａｔｉｏｎ、ＢＳ）と通信してユーザデータ及び／又は各種制御情報を送受信する各種機器がこれに属する。ＵＥは、端末（Ｔｅｒｍｉｎａｌ  Ｅｑｕｉｐｍｅｎｔ）、ＭＳ（Ｍｏｂｉｌｅ  Ｓｔａｔｉｏｎ）、ＭＴ（Ｍｏｂｉｌｅ  Ｔｅｒｍｉｎａｌ）、ＵＴ（Ｕｓｅｒ  Ｔｅｒｍｉｎａｌ）、ＳＳ（Ｓｕｂｓｃｒｉｂｅ  Ｓｔａｔｉｏｎ）、無線機器（ｗｉｒｅｌｅｓｓ  ｄｅｖｉｃｅ）、ＰＤＡ（Ｐｅｒｓｏｎａｌ  Ｄｉｇｉｔａｌ  Ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）などと呼ぶことができる。また、本発明において、ＢＳは、一般に、ＵＥ及び／又は他のＢＳと通信する固定局（ｆｉｘｅｄ  ｓｔａｔｉｏｎ）のことをいい、ＵＥ及び他のＢＳと通信して各種データ及び制御情報を交換する。ＢＳは、ＡＢＳ（Ａｄｖａｎｃｅｄ  Ｂａｓｅ  Ｓｔａｔｉｏｎ）、ＮＢ（Ｎｏｄｅ−Ｂ）、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、接続ポイント（Ａｃｃｅｓｓ  Ｐｏｉｎｔ）、ＰＳ（Ｐｒｏｃｅｓｓｉｎｇ  Ｓｅｒｖｅｒ）等の他の用語と呼ぶこともできる。以下の本発明に関する説明では、ＢＳをｅＮＢと総称する。
【００４２】
本発明でいうノード（ｎｏｄｅ）とは、ＵＥと通信して無線信号を送信／受信し得る固定した地点（ｐｏｉｎｔ）のことを指す。様々な形態のｅＮＢを、その名称に関係なくノードとして用いることができる。例えば、ＢＳ、ＮＢ、ｅＮＢ、ピコセルｅＮＢ（ＰｅＮＢ）、ホームｅＮＢ（ＨｅＮＢ）、リレー、リピータなどをノードとすることができる。また、ノードは、ｅＮＢでなくてもよい。例えば、無線リモートヘッド（ｒａｄｉｏ  ｒｅｍｏｔｅ  ｈｅａｄ、ＲＲＨ）、無線リモートユニット（ｒａｄｉｏ  ｒｅｍｏｔｅ  ｕｎｉｔ、ＲＲＵ）とすることもできる。ＲＲＨ、ＲＲＵなどは、一般に、ｅＮＢの電力レベル（ｐｏｗｅｒ  ｌｅｖｅｌ）よりも低い電力レベルを有する。ＲＲＨ或いはＲＲＵ（以下、ＲＲＨ／ＲＲＵ）は、一般に、光ケーブルなどの専用回線（ｄｅｄｉｃａｔｅｄ  ｌｉｎｅ）でｅＮＢに接続されているため、一般に、無線回線で接続されたｅＮＢによる協調通信に比べて、ＲＲＨ／ＲＲＵとｅＮＢによる協調通信を円滑に行うことができる。１つのノードには少なくとも１つのアンテナが設置される。上記アンテナは物理アンテナを意味することもでき、アンテナポート、仮想アンテナ、又はアンテナグループを意味することもできる。ノードは、ポイント（ｐｏｉｎｔ）とも呼ばれる。
【００４３】
本発明でいうセル（ｃｅｌｌ）とは、１つ以上のノードが通信サービスを提供する一定の地理的領域を指す。したがって、本発明で特定セルと通信するということは、上記特定セルに通信サービスを提供するｅＮＢ或いはノードと通信するということを意味できる。また、特定セルの下りリンク／上りリンク信号は、上記特定セルに通信サービスを提供するｅＮＢ或いはノードからの／への下りリンク／上りリンク信号を意味する。ＵＥに上りリンク／下りリンク通信サービスを提供するセルを特にサービングセル（ｓｅｒｖｉｎｇ  ｃｅｌｌ）という。
【００４４】
一方、３ＧＰＰ  ＬＴＥ／ＬＴＥ−Ａシステムは、無線リソースを管理するためにセル（ｃｅｌｌ）の概念を用いているが、無線リソースと関連付く（ｃｅｌｌ）は、地理的領域のセル（ｃｅｌｌ）と区別される。
【００４５】
地理的領域の“セル”は、ノードが搬送波を用いてサービスを提供できるカバレッジ（ｃｏｖｅｒａｇｅ）と理解することができ、無線リソースの“セル”は、上記搬送波によって設定（ｃｏｎｆｉｇｕｒｅ）される周波数範囲である帯域幅（ｂａｎｄｗｉｄｔｈ、ＢＷ）に関連する。ノードが有効な信号を送信できる範囲である下りリンクカバレッジと、ＵＥから有効な信号を受信できる範囲である上りリンクカバレッジは、当該信号を運ぶ搬送波に依存するので、ノードのカバレッジは、上記ノードが用いる無線リソースの“セル”のカバレッジと関連することもある。したがって、“セル”という用語は、時にはノードによるサービスのカバレッジを、時には無線リソースを、時には上記無線リソースを用いた信号が有効な強度で到達できる範囲を意味することに用いることができる。 
【００４６】
一方、３ＧＰＰ  ＬＴＥ−Ａ標準は無線リソースを管理するためにセル（ｃｅｌｌ）の概念を使用する。無線リソースと関連付く“セル”とは、下りリンクリソース（ＤＬ  ｒｅｓｏｕｒｃｅｓ）と上りリンクリソース（ＵＬ  ｒｅｓｏｕｒｃｅｓ）との組合せ、すなわち、ＤＬ  ＣＣとＵＬ  ＣＣの組合せと定義される。セルは、ＤＬリソース単独、又はＤＬリソースとＵＬリソースとの組合せで設定する（ｃｏｎｆｉｇｕｒｅ）ことができる。搬送波集約が支援される場合、ＤＬリソース（又は、ＤＬ  ＣＣ）の搬送波周波数（ｃａｒｒｉｅｒ  ｆｒｅｑｕｅｎｃｙ）とＵＬリソース（又は、ＵＬ  ＣＣ）の搬送波周波数（ｃａｒｒｉｅｒ  ｆｒｅｑｕｅｎｃｙ）間のリンケージ（ｌｉｎｋａｇｅ）をシステム情報によって示すことができる。例えば、システム情報ブロックタイプ２（Ｓｙｓｔｅｍ  Ｉｎｆｏｒｍａｔｉｏｎ  Ｂｌｏｃｋ  Ｔｙｐｅ  ２；ＳＩＢ２）リンケージ（ｌｉｎｋａｇｅ）によってＤＬリソースとＵＬリソースとの組合せを示すことができる。ここで、搬送波周波数とは、各セル或いはＣＣの中心周波数（ｃｅｎｔｅｒ  ｆｒｅｑｕｅｎｃｙ）を意味する。以下では、１次周波数（ｐｒｉｍａｒｙ  ｆｒｅｑｕｅｎｃｙ）上で動作するセルを１次セル（ｐｒｉｍａｒｙ  ｃｅｌｌ；Ｐｃｅｌｌ）或いはＰＣＣと呼び、２次周波数（Ｓｅｃｏｎｄａｒｙ  ｆｒｅｑｕｅｎｃｙ）（又は、ＳＣＣ）上で動作するセルを２次セル（ｓｅｃｏｎｄａｒｙ  ｃｅｌｌ；Ｓｃｅｌｌ）或いはＳＣＣと呼ぶ。下りリンクにおいてＰｃｅｌｌに対応する搬送波を下りリンク１次ＣＣ（ＤＬ  ＰＣＣ）と称し、上りリンクにおいてＰｃｅｌｌに対応する搬送波を上りリンク１次ＣＣ（ＵＬ  ＰＣＣ）と称する。Ｓｃｅｌｌとは、ＲＲＣ（Ｒａｄｉｏ  Ｒｅｓｏｕｒｃｅ  Ｃｏｎｔｒｏｌ）接続樹立（ｃｏｎｎｅｃｔｉｏｎ  ｅｓｔａｂｌｉｓｈｍｅｎｔ）の後に設定可能であり、追加の無線リソースを提供のために利用できるセルを意味する。ＵＥの性能（ｃａｐａｂｉｌｉｔｉｅｓ）によって、ＳｃｅｌｌがＰｃｅｌｌと共に、上記ＵＥのためのサービングセルのセット（ｓｅｔ）を形成することができる。下りリンクにおいてＳｃｅｌｌに対応する搬送波を下りリンク２次ＣＣ（ＤＬ  ＳＣＣ）と称し、上りリンクにおいて上記Ｓｃｅｌｌに対応する搬送波を上りリンク２次ＣＣ（ＵＬ  ＳＣＣ）と称する。ＲＲＣ＿ＣＯＮＮＥＣＴＥＤ状態にあるが、搬送波集成が設定されていないか或いは搬送波集成を支援しないＵＥの場合、Ｐｃｅｌｌだけで設定されたサービングセルがただ一つ存在する。
【００４７】
本発明において使われる用語及び技術のうち、具体的に説明されていない用語及び技術については、３ＧＰＰ  ＬＴＥ／ＬＴＥ−Ａ標準文書、例えば、３ＧＰＰ  ＴＳ  ３６．２１１、３ＧＰＰ  ＴＳ  ３６．２１２、３ＧＰＰ  ＴＳ  ３６．２１３、３ＧＰＰ  ＴＳ  ３６．３２１、３ＧＰＰ  ＴＳ  ３６．３２２、３ＧＰＰ  ＴＳ  ３６．３２３及び３ＧＰＰ  ＴＳ  ３６．３３１などを参照することができる。
【００４８】
図２は、Ｅ―ＵＴＲＡＮ（Ｅｖｏｌｖｅｄ―Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）網構造を示すブロック図である。Ｅ―ＵＭＴＳは、ＬＴＥシステムと称することもできる。通信網は、ＩＭＳ及びパケットデータを通じたＶｏＩＰ（Ｖｏｉｃｅ  ｏｖｅｒ  ＩＰ）などの多様なサービスを提供するために広く配置される。
【００４９】
図２に示したように、Ｅ―ＵＭＴＳ網は、Ｅ―ＵＴＲＡＮ（ｅｖｏｌｖｅｄ  ＵＭＴＳ  ｔｅｒｒｅｓｔｒｉａｌ  ｒａｄｉｏ  ａｃｃｅｓｓ  ｎｅｔｗｏｒｋ）、ＥＰＣ（Ｅｖｏｌｖｅｄ  Ｐａｃｋｅｔ  Ｃｏｒｅ）、及び一つ以上の端末を含む。Ｅ―ＵＴＲＡＮは、一つ以上のｅＮＢ（ｅｖｏｌｖｅｄ  ＮｏｄｅＢ）２０を含むことができ、複数の端末１０が一つのセルに位置することができる。一つ以上のＥ―ＵＴＲＡＮ  ＭＭＥ（Ｍｏｂｉｌｉｔｙ  Ｍａｎａｇｅｍｅｎｔ  Ｅｎｔｉｔｙ）／ＳＡＥ（Ｓｙｓｔｅｍ  Ａｒｃｈｉｔｅｃｔｕｒｅ  Ｅｖｏｌｕｔｉｏｎ）ゲートウェイ３０は、ネットワークの終端に位置し、外部ネットワークに接続することもできる。
【００５０】
本明細書において、「下りリンク（ｄｏｗｎｌｉｎｋ）」は、ｅＮＢ２０からUE１０への通信を称し、「上りリンク（ｕｐｌｉｎｋ）」は、UE１０からｅＮＢ２０への通信を称する。 
【００５１】
図３は、一般的なＥ―ＵＴＲＡＮと一般的なＥＰＣの構造を示すブロック図である。
【００５２】
図３に示したように、ｅＮＢ２０は、ユーザ平面及び制御平面のエンドポイント（ｅｎｄ  ｐｏｉｎｔ）をＵＥ１０に提供する。ＭＭＥ／ＳＡＥゲートウェイ３０は、セッション及び移動性管理機能のエンドポイントをＵＥ１０に提供する。ｅＮＢ２０及びＭＭＥ／ＳＡＥゲートウェイ３０は、Ｓ１インターフェースを介して接続することができる。
【００５３】
ｅＮＢ２０は、一般にＵＥ１０と通信する固定局であって、基地局（ＢＳ）又はアクセスポイント（ａｃｃｅｓｓ  ｐｏｉｎｔ）と称することもある。一つのｅＮＢ２０はセルごとに配置することができる。ユーザトラフィック又は制御トラフィックを送信するためのインターフェースをｅＮＢ２０間で使用することができる。
【００５４】
ＭＭＥは、ｅＮＢ２０に対するＮＡＳシグナリング、ＮＡＳシグナリング保安、ＡＳ保安制御、３ＧＰＰ接続ネットワーク間の移動性のためのインター（ｉｎｔｅｒ）ＣＮノードシグナリング、（ページング再送信の制御及び実行を含む。）遊休モード（ｉｄｌｅ  ｍｏｄｅ）ＵＥ接近性（Ｒｅａｃｈａｂｉｌｉｔｙ）、（遊休モード及び活性モード（ａｃｔｉｖｅ  ｍｏｄｅ）のＵＥのための）トラッキング領域リスト管理、ＰＤＮ  ＧＷ及びサービングＧＷ選択、ＭＭＥ変化が伴うハンドオーバーのためのＭＭＥ選択、２Ｇ又は３Ｇ  ３ＧＰＰ接続ネットワークへのハンドオーバーのためのＳＧＳＮ選択、ローミング、認証、専用ベアラ設定を含むベアラ管理、（ＥＴＷＳ及びＣＭＡＳを含む）ＰＷＳメッセージ送信のためのサポートを含む多様な機能を行う。ＳＡＥゲートウェイホストは、パー―ユーザ（Ｐｅｒ―ｕｓｅｒ）ベースのパケットフィルタリング（例えば、深層パケット検査を使用）、適法なインターセプション（Ｌａｗｆｕｌ  Ｉｎｔｅｒｃｅｐｔｉｏｎ）、ＵＥ  ＩＰアドレス割当て、下りリンクでの送信（Ｔｒａｎｓｐｏｒｔ）レベルパケットマーキング、ＵＬ及びＤＬサービスレベル課金、ゲーティング及びレート強化、ＡＰＮ―ＡＭＢＲに基づいたＤＬレート強化を含む多様な機能を提供する。ＭＭＥ／ＳＡＥゲートウェイ３０は、明確性のために、本明細書で単純に「ゲートウェイ」と称する。しかし、ＭＭＥ／ＳＡＥゲートウェイ３０は、ＭＭＥ及びＳＡＥゲートウェイの両者を全て含む。
【００５５】
複数のノードは、ｅＮＢ２０とゲートウェイ３０との間でＳ１インターフェースを介して接続することができる。各ｅＮＢ２０は、Ｘ２インターフェースを介して相互接続することができ、各隣接ｅＮＢは、Ｘ２インターフェースを有するメッシュネットワーク構造（ｍｅｓｈｅｄ  ｎｅｔｗｏｒｋ  ｓｔｒｕｃｔｕｒｅ）を有することができる。
【００５６】
図３に示したように、ｅＮＢ２０は、ゲートウェイ３０に対する選択、無線リソース制御（Ｒａｄｉｏ  Ｒｅｓｏｕｒｃｅ  Ｃｏｎｔｒｏｌ、ＲＲＣ）活性化の間、ゲートウェイに向かうルーティング、ページングメッセージのスケジューリング及び送信、ブロードキャストチャネル（ＢＣＣＨ）情報のスケジューリング及び送信、上りリンク及び下りリンクの全てにおける各ＵＥ１０のための動的リソース割当て、ｅＮＢ測定の構成及び準備、無線ベアラ制御、無線承認制御（Ｒａｄｉｏ  Ａｄｍｉｓｓｉｏｎ  Ｃｏｎｔｒｏｌ、ＲＡＣ）、及びＬＴＥ＿ＡＣＴＩＶＥ状態での接続移動性制御などの各機能を行うことができる。ＥＰＣにおいて、ゲートウェイ３０は、ページング発信、ＬＴＥ＿ＩＤＬＥ状態管理、ユーザ平面暗号化、システム構造エボリューション（Ｓｙｓｔｅｍ  Ａｒｃｈｉｔｅｃｔｕｒｅ  Ｅｖｏｌｕｔｉｏｎ、ＳＡＥ）ベアラ制御、及び非―接続層（Ｎｏｎ―Ａｃｃｅｓｓ  Ｓｔｒａｔｕｍ、ＮＡＳ）シグナリングの暗号化及び完全性保護などの各機能を行うことができる。
【００５７】
ＥＰＣは、移動性管理エンティティ（Ｍｏｂｉｌｉｔｙ  Ｍａｎａｇｅｍｅｎｔ  Ｅｎｔｉｔｙ、ＭＭＥ）、サービング―ゲートウェイ（ｓｅｒｖｉｎｇ―ｇａｔｅｗａｙ、Ｓ―ＧＷ）、及びパケットデータネットワーク―ゲートウェイ（Ｐａｃｋｅｔ  Ｄａｔａ  Ｎｅｔｗｏｒｋ―Ｇａｔｅｗａｙ、ＰＤＮ―ＧＷ）を含む。ＭＭＥは、主に各UEの移動性を管理する目的で用いられる接続及び可用性に対する情報を有する。Ｓ―ＧＷは、Ｅ―ＵＴＲＡＮを終端点として有するゲートウェイであり、ＰＤＮ―ＧＷは、パケットデータネットワーク（ＰＤＮ）を終端点として有するゲートウェイである。
【００５８】
図４は、３ＧＰＰ無線接続網規格に基づくUEとＥ―ＵＴＲＡＮとの間の無線インターフェースプロトコルの制御平面及びユーザ平面の構造を示す図である。制御平面は、端末（Ｕｓｅｒ  Ｅｑｕｉｐｍｅｎｔ；ＵＥ）とネットワークがコールを管理するために用いる各制御メッセージが送信される通路を意味する。ユーザ平面は、アプリケーション層で生成されたデータ、例えば、音声データ又はインターネットパケットデータなどが送信される通路を意味する。
【００５９】
ＬＴＥ／ＬＴＥ−Ａシステムの階層１（すなわち、Ｌ１）は物理階層に相当する。第１階層（すなわち、階層１又はＬ１）である物理階層は物理チャネル（ｐｈｙｓｉｃａｌ  ｃｈａｎｎｅｌ）を用いて上位階層に情報送信サービス（ｉｎｆｏｒｍａｔｉｏｎ  ｔｒａｎｓｆｅｒ  ｓｅｒｖｉｃｅ）を提供する。物理層は、上位にある媒体接続制御（Ｍｅｄｉｕｍ  Ａｃｃｅｓｓ  Ｃｏｎｔｒｏｌ）層とは送信チャネル（Ｔｒａｎｓｐｏｒｔ  Ｃｈａｎｎｅｌ）を介して接続されている。前記送信チャネルを介して媒体接続制御層と物理層との間にデータが移動する。送信側と受信側の物理層間には、物理チャネルを介してデータが移動する。前記物理チャネルは、時間と周波数を無線リソースとして活用する。具体的に、物理チャネルは、下りリンクでＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、上りリンクでＳＣ―ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００６０】
ＬＴＥ／ＬＴＥ−Ａシステムの階層２（すなわち、Ｌ２）は次のサブ階層に分けられる。媒体接続制御（Ｍｅｄｉｕｍ  Ａｃｃｅｓｓ  Ｃｏｎｔｒｏｌ、ＭＡＣ）、無線リンク制御（Ｒａｄｉｏ  Ｌｉｎｋ  Ｃｏｎｔｒｏｌ、ＲＬＣ）及びパケットデータ収斂プロトコル（Ｐａｃｋｅｔ  Ｄａｔａ  Ｃｏｎｖｅｒｇｅｎｃｅ  Ｐｒｏｔｏｃｏｌ、ＰＤＣＰ）物理階層に相当する。第２層のＲＬＣ層は、信頼性のあるデータ送信をサポートする。ＲＬＣ層の機能は、ＭＡＣ内部の機能ブロックで具現することもできる。第２層のＰＤＣＰ（Ｐａｃｋｅｔ  Ｄａｔａ  Ｃｏｎｖｅｒｇｅｎｃｅ  Ｐｒｏｔｏｃｏｌ）層は、帯域幅の狭い無線インターフェースでＩＰバージョン４（ＩＰ  ｖｅｒｓｉｏｎ  ４、ＩＰｖ４）パケットやＩＰバージョン６（ＩＰｖ６）パケットのようなＩＰ（ｉｎｔｅｒｎｅｔ  ｐｒｏｔｏｃｏｌ）パケットを効率的に送信するために不必要な制御情報を減少させるヘッダー圧縮（Ｈｅａｄｅｒ  Ｃｏｍｐｒｅｓｓｉｏｎ）機能を行う。
【００６１】
ＬＴＥ／ＬＴＥ−Ａシステムにおいて、ＭＡＣサブ階層は次のような機能（ｆｕｎｃｔｉｏｎ）を支援する。論理チャネル及び送信チャネル間のマッピング、送信チャネル上で物理階層に配達（ｄｅｌｉｖｅｒ）される送信ブロック（ＴＢ）上への一つ又は相異なる論理チャネルからのＭＡＣ  ＳＤＵの多重化（ｍｕｌｔｉｐｌｅｘｉｎｇ）、送信チャネル上の物理階層から配達された送信ブロック（ＴＢ）から一つ又は相異なる論理チャネルからのＭＡＣ  ＳＤＵの逆多重化（ｍｕｌｔｉｐｌｅｘｉｎｇ）、スケジューリング情報報告、ＨＡＲＱによるエラー（ｅｒｒｏｒ）訂正、動的スケジューリングによるＵＥ間の優先順位ハンドリング、一つのＭＡＣエンティティの論理チャネル間の優先順位ハンドリング、論理チャネル優先順位化（ｌｏｇｉｃａｌ  ｃｈａｎｎｅｌ  ｐｒｉｏｒｉｔｉｚａｔｉｏｎ）、送信フォーマット選択、及びサイドリンク（ＳＬ）のための無線リソース選択。ＭＡＣパケットデータユニット（ＰＤＵ）は長さにおいてバイト整列された（すなわち、８ビットの倍数）ビットストリングである。ＭＡＣ  ＰＤＵは、ＭＡＣヘッダー、ゼロ以上のＭＡＣサービスデータユニット（ＭＡＣ  ＳＤＵ）、ゼロ以上のＭＡＣ制御要素及び選択的なパッディングで構成される。ＭＡＣヘッダー及びＭＡＣ  ＳＤＵは可変サイズである。ＭＡＣ  ＰＤＵヘッダーは一つ以上のＭＡＣ  ＰＤＵサブヘッダーで構成され、それぞれのサブヘッダーはＭＡＣ  ＳＤＵ、ＭＡＣ制御要素又はパッディングに対応する。ＭＡＣ  ＳＤＵは長さにおいてバイト整列された（すなわち、８ビットの倍数）ビットストリングである。ＳＤＵは最初のビットからＭＡＣ  ＰＤＵに含まれる。ＭＡＣ  ＰＤＵサブヘッダーは対応するＭＡＣ  ＳＤＵ、ＭＡＣ制御要素及びパッディングと同一の順序を有する。ＭＡＣ制御要素はいつもどのＭＡＣ  ＳＤＵよりも前に配置される。
【００６２】
ＬＴＥ／ＬＴＥ−Ａシステムにおいて、ＲＬＣサブ階層のメインサービス及び機能は、上位階層ＰＤＵの送信、（ＡＭ（ａｃｋｎｏｗｌｅｄｇｅｄ  ｍｏｄｅ）データ送信に対してのみ）ＡＲＱによるエラー訂正、（ＵＭ（ｕｎａｃｋｎｏｗｌｅｄｇｅｄ  ｍｏｄｅ）及びＡＭデータ送信に対してのみ）ＲＬＣ  ＳＤＵの連接（ｃｏｎｃａｔｅｎａｔｉｏｎ）、分割（ｓｅｇｍｅｎｔａｔｉｏｎ）及びリアセンブリー（ｒｅａｓｓｅｍｂｌｙ）、（ＡＭデータ送信に対してのみ）ＲＬＣデータＰＤＵの再分割（ｒｅ−ｓｅｇｍｅｎｔａｔｉｏｎ）、（ＵＭ及びＡＭデータ送信に対してのみ）ＲＬＣデータＰＤＵの再整列（ｒｅｏｒｄｅｒｉｎｇ）、（ＵＭ及びＡＭデータ送信に対してのみ）重複（ｄｕｐｌｉｃａｔｅ）検出、（ＡＭデータ送信に対してのみ）プロトコルエラー検出）、（ＵＭ及びＡＭデータ送信に対してのみ）ＲＬＣ  ＳＤＵ廃棄、及びＲＬＣ再樹立（ｒｅ−ｅｓｔａｂｌｉｓｈｍｅｎｔ）を含む。
【００６３】
ＲＬＣサブ階層の機能はＲＬＣエンティティによって遂行される。ｅＮＢで設定されたＲＬＣエンティティに対して、ＵＥで設定されたピアー（ｐｅｅｒ）ＲＬＣエンティティが存在し、その反対の場合も存在する。ＲＬＣエンティティは次のような３種のモードの一つでデータ送信を遂行するように構成されることができる。透明モード（ＴＭ）、ＵＭ（ｕｎａｃｋｎｏｗｌｅｄｇｅｄ  ｍｏｄｅ）又はＡＭ（ａｃｋｎｏｗｌｅｄｇｅｄ  ｍｏｄｅ）。結果的に、ＲＬＣエンティティは、ＲＬＣエンティティが提供するように設定されたデータ送信モードによってＴＭ  ＲＬＣエンティティ、ＵＭ  ＲＬＣエンティティ又はＡＭ  ＲＬＣエンティティに分類される。
【００６４】
ＴＭ  ＲＬＣエンティティは送信ＴＭ  ＲＬＣエンティティ又は受信ＴＭ  ＲＬＣエンティティとして構成される。送信ＴＭ  ＲＬＣエンティティは上位階層からＲＬＣ  ＳＤＵを受信し、下位階層を介してＲＬＣ  ＰＤＵを自らのピアーである受信ＴＭ  ＲＬＣエンティティに送信する。受信ＴＭ  ＲＬＣエンティティはＲＬＣ  ＳＤＵを上位階層に配達し、下位階層を介して自らのピアーである送信ＴＭ  ＲＬＣエンティティからＲＬＣ  ＰＤＵを受信する。ＴＭ  ＲＬＣエンティティはＲＬＣデータＰＤＵであるＴＭデータ（ＴＭＤ）ＰＤＵを配達（ｄｅｌｉｖｅｒ）／受信する。送信ＴＭ  ＲＬＣエンティティがＲＬＣ  ＳＤＵからＴＭＤ  ＰＤＵを形成すれば、ＲＬＣ  ＳＤＵを分割するとか連接することなく、任意のＲＬＣヘッダーを前記ＴＭＤ  ＰＤＵに含ませてはいけない。受信ＴＭ  ＲＬＣエンティティがＴＭＤ  ＰＤＵを受信すれば、（ＲＬＣ  ＳＤＵである）ＴＭＤ  ＰＤＵを上位階層に配達する。
【００６５】
ＵＭ  ＲＬＣエンティティは送信ＵＭ  ＲＬＣエンティティ又は受信ＵＭ  ＲＬＣエンティティとして設定される。送信ＵＭ  ＲＬＣエンティティは上位階層からＲＬＣ  ＳＤＵを受信し、下位階層を介してＲＬＣ  ＰＤＵを自らのピアーである受信ＵＭ  ＲＬＣエンティティに送る。受信ＵＭ  ＲＬＣエンティティはＲＬＣ  ＳＤＵを上位階層に配達し、下位階層を介して自らのピアーである送信ＵＭ  ＲＬＣエンティティからＲＬＣ  ＰＤＵを受信する。ＵＭ  ＲＬＣエンティティはＲＬＣデータＰＤＵであるＵＭデータ（ＵＭＤ）ＰＤＵを配達／受信する。送信ＵＭ  ＲＬＣエンティティがＲＬＣ  ＳＤＵからＵＭＤ  ＰＤＵを形成すれば、ＵＭＤ  ＰＤＵが下位階層によって知られた特定送信機会（ｏｐｐｏｒｔｕｎｉｔｙ）に下位階層によって指示されたＲＬＣ  ＰＤＵ（等）の総サイズ内に合うようにＲＬＣ  ＳＤＵを分割及び／又は連接し、関連のＲＬＣヘッダーをＵＭＤ  ＰＤＵに含ませなければならない。受信ＵＭ  ＲＬＣエンティティがＵＭＤ  ＰＤＵを受信すれば、ＵＭＤ  ＰＤＵが重複して受信されたかを検出し、重複した（ｄｕｐｌｉｃａｔｅｄ）ＵＭＤ  ＰＤＵを廃棄し、順次に受信されなければＵＭＤ  ＰＤＵを再整列（ｒｅｏｒｄｅｒ）し；下位階層でのＵＭＤ  ＰＤＵの損失を検出し、過度な再整列遅延を避け、（損失が検出されたＲＬＣ  ＰＤＵを考慮せずに）再整列されたＵＭＤ  ＰＤＵからＲＬＣ  ＳＤＵをリアセンブリングし、ＲＬＣ  ＳＮの昇順でＲＬＣ  ＳＤＵを上位階層に配達し、特定ＲＬＣ  ＳＤＵに属したＵＭＤ  ＰＤＵの下位階層での損失によってＲＬＣ  ＳＤＵにリアセンブリングされることができない受信されたＵＭＤ  ＰＤＵを廃棄しなければならない。ＲＬＣ再樹立の際、受信ＵＭ  ＲＬＣエンティティは、可能であれば、順序に従わずに（ｏｕｔ  ｏｆ  ｓｅｑｕｅｎｃｅ）受信されたＵＭＤ  ＰＤＵからＲＬＣ  ＳＤＵをリアセンブリングして上位階層に配達し、ＲＬＣ  ＳＤＵにリアセンブリングされることができない任意の残りのＵＭＤ  ＰＤＵを廃棄し、関連状態変数を初期化して関連タイマーを中断しなければならない。
【００６６】
ＡＭ  ＲＬＣエンティティは送信側と受信側から構成される。ＡＭ  ＲＬＣエンティティの送信側は上位階層からＲＬＣ  ＳＤＵを受信し、下位階層を介してＲＬＣ  ＰＤＵを自らのピアーであるＡＭ  ＲＬＣエンティティに送信する。ＡＭ  ＲＬＣエンティティの受信側はＲＬＣ  ＳＤＵを上位階層に配達し、下位階層を介して自らのピアーであるＡＭ  ＲＬＣエンティティからＲＬＣ  ＰＤＵを受信する。ＡＭ  ＲＬＣエンティティは次のＲＬＣデータＰＤＵを配達／受信する。ＡＭデータ（ＡＭＤ）ＰＤＵ及び／又はＡＭＤ  ＰＤＵセグメント。ＡＭ  ＲＬＣエンティティはＲＬＣ制御ＰＤＵであるＳＴＡＴＵＳ  ＰＤＵを配達／受信する。ＡＭ  ＲＬＣエンティティの送信側がＲＬＣ  ＳＤＵからＡＭＤ  ＰＤＵを形成すれば、ＡＭＤ  ＰＤＵが下位階層によって知られた特定送信機会で下位階層によって指示されたＲＬＣ  ＰＤＵ（等）の総サイズ内に合うように前記ＲＬＣ  ＳＤＵを分割及び／又は連接しなければならない。ＡＭ  ＲＬＣエンティティの送信側はＲＬＣデータＰＤＵの再送信（ＡＲＱ）を支援する。再送信されるＲＬＣデータＰＤＵが下位階層によって知られた特定送信機会で下位階層によって指示されたＲＬＣ  ＰＤＵ（等）の総サイズ内に合わなければ、ＡＭ  ＲＬＣエンティティが前記ＲＬＣデータＰＤＵをＡＭＤ  ＰＤＵセグメントに再分割することができ、再分割の数が制限されない。ＡＭ  ＲＬＣエンティティの送信側が上位階層から受信したＲＬＣ  ＳＤＵ又は再送信されるＲＬＣデータＰＤＵからのＡＭＤ  ＰＤＵセグメントからＡＭＤ  ＰＤＵを形成すれば、関連ＲＬＣヘッダーをＲＬＣデータＰＤＵに含ませなければならない。ＡＭ  ＲＬＣエンティティの受信側がＲＬＣデータＰＤＵを受信すれば、ＲＬＣデータＰＤＵが重複して受信されたかを検出し、重複したＲＬＣデータＰＤＵを廃棄し、順次に受信されなければＲＬＣデータＰＤＵを再整列し；下位階層でＲＬＣデータＰＤＵの損失を検出し、自らのピアーであるＡＭ  ＲＬＣエンティティへの再送信を要請し、再整列されたＲＬＣデータＰＤＵからＲＬＣ  ＳＤＵをリアセンブリングし、ＲＬＣ  ＳＤＵを順次に（ｉｎ  ｓｅｑｕｅｎｃｅ）上位階層に配達する。ＲＬＣ再樹立の際、ＡＭ  ＲＬＣエンティティの受信側は、可能であれば、順序に従わなく受信されたＲＬＣデータＰＤＵからＲＬＣ  ＳＤＵをリアセンブリングして上位階層に配達し、ＲＬＣ  ＳＤＵにリアセンブリングされることができない任意の残ったＲＬＣデータＰＤＵを廃棄し、関連状態変数を初期化して関連タイマーを中断しなければならない。
【００６７】
ＴＭＤ  ＰＤＵはＴＭ  ＲＬＣエンティティによって上位階層ＰＤＵを送信するのに使われる。ＵＭＤ  ＰＤＵはＵＭ  ＲＬＣエンティティによって上位階層ＰＤＵを送信するのに使われる。ＡＭＤ  ＰＤＵはＡＭ  ＲＬＣエンティティによって上位階層ＰＤＵを送信するのに使われる。ＡＭＤ  ＰＤＵはＡＭ  ＲＬＣエンティティが初めてＲＬＣ  ＳＤＵ（の一部）を送信するとき又はＡＭ  ＲＬＣエンティティが再分割を遂行せずにＡＭＤ  ＰＤＵを再送信するときに使われる。ＡＭＤ  ＰＤＵセグメントはＡＭ  ＲＬＣエンティティによって上位階層ＰＤＵを送信するのに使われる。ＡＭＤ  ＰＤＵセグメントはＡＭ  ＲＬＣエンティティがＡＭＤ  ＰＤＵの一部を再送信する必要があるときに使われる。ＴＭＤ  ＰＤＵの場合、ただ一つのＲＬＣ  ＳＤＵのみが一つのＴＭＤ  ＰＤＵのデータフィールドにマッピングされることができる。ＵＭＤ  ＰＤＵ、ＡＭＤ  ＰＤＵ及びＡＭＤ  ＰＤＵセグメントの場合、ゼロＲＬＣ  ＳＤＵセグメント及び一つ以上のＲＬＣ  ＳＤＵ、又は一つ又は二つのＲＬＣ  ＳＤＵセグメント及びゼロ以上のＲＬＣ  ＳＤＵのいずれかが一つのＵＭＤ  ＰＤＵ、ＡＭＤ  ＰＤＵ又はＡＭＤ  ＰＤＵセグメントのデータフィールドにマッピングされることができる。ＵＭＤ  ＰＤＵ、ＡＭＤ  ＰＤＵ及びＡＭＤ  ＰＤＵセグメントの場合、ＲＬＣ  ＳＤＵセグメントはデータフィールドの始まり又は終わりにマッピングされる。ＵＭＤ  ＰＤＵ、ＡＭＤ  ＰＤＵ及びＡＭＤ  ＰＤＵセグメントの場合、１１ビット長さ指示子（ｌｅｎｇｔｈ  ｉｎｄｉｃａｔｏｒ、ＬＩ）に対する２０４７オクテットより大きいＲＬＣ  ＳＤＵ又はＲＬＣ  ＳＤＵセグメントはただデータフィールドの終わりにマッピングされることができる。ＵＭＤ  ＰＤＵ、ＡＭＤ  ＰＤＵ及びＡＭＤ  ＰＤＵセグメントの場合、二つのＲＬＣ  ＳＤＵセグメントが存在すれば、これらは相異なるＲＬＣ  ＳＤＵに属する。
【００６８】
ＰＤＣＰエンティティはＰＤＣＰサブ階層に位置する。いくつかのＰＤＣＰエンティティがＵＥのために定義されることができる。使用者平面データを運ぶ（ｃａｒｒｙ）各ＰＤＣＰエンティティはヘッダー圧縮を使うように設定されることができる。各ＰＤＣＰエンティティは一つの無線ベアラのデータを伝達している。全てのＰＤＣＰエンティティは多くても一つのＲＯＨＣ圧縮機（ｃｏｍｐｒｅｓｓｏｒ）インスタンス及び多くても一つのＲＯＨＣ圧縮解除器（ｄｅｃｏｍｐｒｅｓｓｏｒ）インスタンスを使う。ＰＤＣＰエンティティはデータを伝達する無線ベアラによって制御平面又は使用者平面に関連する。ＰＤＣＰは自らのサービスをＵＥではＲＲＣ及び使用者平面上位階層に提供し、ｅＮＢではリレーに提供する。次のようなサービスがＰＤＣＰによって上位階層に提供される：使用者平面データの伝達、制御平面データの伝達、ヘッダー圧縮、暗号及び無欠性保護。ＰＤＣＰエンティティはＲＬＣエンティティ別に下位階層から次のサービスを期待する。ＰＤＣＰ  ＰＤＵの成功裏な伝達（ｔｒａｎｓｆｅｒ）の表示を含む、確認（ａｃｋｎｏｗｌｅｄｇｅｄ）データ送信サービス、非確認（ｕｎａｃｋｎｏｗｌｅｄｇｅｄ）データ送信サービス、下位階層の再樹立時を除いた順次配達（ｉｎ−ｓｅｑｕｅｎｃｅ  ｄｅｌｉｖｅｒ）、下位階層の再樹立時を除いた重複廃棄。パケットデータコンバージェンスプロトコルは次のような機能、すなわち、ＲＯＨＣプロトコルを用いたＩＰデータフローのヘッダー圧縮及び圧縮解除、（使用者平面又は制御平面）データの送信；ＰＤＣＰ  ＳＮの維持、下位階層の再樹立時の上位階層ＰＤＵの順次配達、ＲＬＣ  ＡＭ上にマッピングされた無線ベアラに対する下位階層の再樹立時の下位階層ＳＤＵの重複除去、使用者平面データ及び制御平面データの暗号化（ｃｉｐｈｅｒｉｎｇ）及び復号化（ｄｅｃｉｐｈｅｒｉｎｇ）、制御平面データの無欠性保護及び無欠性検証、サイドリンク一対一通信データの無欠性保護及び無欠性検証、ＲＮに対して、使用者平面データの無欠性保護及び無欠性検証、タイマーに基づいた廃棄、及び重複廃棄を支援する。
【００６９】
第３階層（すなわち、Ｌ３階層）の最下部に位置する無線リソース制御（ｒａｄｉｏ  ｒｅｓｏｕｒｃｅ  ｃｏｎｔｒｏｌ、ＲＲＣ）階層は制御平面でのみ定義される。 ＲＲＣ層は、各無線ベアラ（Ｒａｄｉｏ  Ｂｅａｒｅｒ；ＲＢ）の設定（Ｃｏｎｆｉｇｕｒａｔｉｏｎ）、再設定（Ｒｅ―ｃｏｎｆｉｇｕｒａｔｉｏｎ）及び解除（Ｒｅｌｅａｓｅ）と関連して論理チャネル、送信チャネル及び物理チャネルの制御を担当する。ＲＢは、端末とネットワークとの間のデータ伝達のために第２層によって提供されるサービスを意味する。このために、端末とネットワークのＲＲＣ層は、互いにＲＲＣメッセージを交換する。
【００７０】
ｅＮＢの一つのセルは、１．２５ＭＨｚ、２．５ＭＨｚ、５ＭＨｚ、１０ＭＨｚ、１５ＭＨｚ及び２０ＭＨｚなどの各帯域のうち一つで動作するように設定することができ、帯域で下りリンク又は上りリンク送信サービスを提供するように設定することができる。異なる各セルは、異なる各帯域を提供するように設定することもできる。
【００７１】
Ｅ―ＵＴＲＡＮから端末への送信のための下りリンク送信チャネル（Ｄｏｗｎｌｉｎｋ  ｔｒａｎｓｐｏｒｔ  Ｃｈａｎｎｅｌ）は、システム情報を送信するＢＣＨ（Ｂｒｏａｄｃａｓｔ  Ｃｈａｎｎｅｌ）、各ページングメッセージを送信するＰＣＨ（Ｐａｇｉｎｇ  Ｃｈａｎｎｅｌ）、及びユーザトラフィック又は各制御メッセージを送信するための下りリンク共有チャネル（Ｓｈａｒｅｄ  Ｃｈａｎｎｅｌ、ＳＣＨ）を含む。下りリンクマルチキャスト又はブロードキャストサービスのトラフィック又は制御メッセージの場合、下りリンクＳＣＨを介して送信することもでき、又は別途の下りリンクＭＣＨ（Ｍｕｌｔｉｃａｓｔ  Ｃｈａｎｎｅｌ）を介して送信することもできる。
【００７２】
端末からネットワークにデータを送信する上りリンク送信チャネルとしては、初期制御メッセージを送信するＲＡＣＨ（Ｒａｎｄｏｍ  Ａｃｃｅｓｓ  Ｃｈａｎｎｅｌ）と、その他にユーザトラフィックや制御メッセージを送信する上りリンクＳＣＨ（Ｓｈａｒｅｄ  Ｃｈａｎｎｅｌ）とがある。送信チャネルの上位にあり、送信チャネルにマップされる論理チャネルとしては、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、及びＭＴＣＨ（Ｍｕｌｔｉｃａｓｔ  Ｔｒａｆｆｉｃ  Ｃｈａｎｎｅｌ）などがある。
【００７３】
図５は、Ｅ―ＵＭＴＳシステムで使用する物理チャネル構造の一例を示した図である。物理チャネルは、時間軸上にある複数のサブフレームと、周波数軸上にある複数のサブキャリア（Ｓｕｂ―ｃａｒｒｉｅｒ）とで構成される。ここで、一つのサブフレーム（Ｓｕｂ―ｆｒａｍｅ）は、時間軸上に複数のシンボル（Ｓｙｍｂｏｌ）で構成される。一つのサブフレームは、複数のリソースブロック（Ｒｅｓｏｕｒｃｅ  Ｂｌｏｃｋ）で構成され、一つのリソースブロックは、複数のシンボル及び複数のサブキャリアで構成される。また、各サブフレームは、ＰＤＣＣＨ（Ｐｈｙｓｉｃａｌ  Ｄｏｗｎｌｉｎｋ  Ｃｏｎｔｒｏｌ  Ｃｈａｎｎｅｌ）、すなわち、Ｌ１／Ｌ２制御チャネルのために該当のサブフレームの特定シンボル（例えば、１番目のシンボル）の特定サブキャリアを用いることができる。図５には、Ｌ１／Ｌ２制御情報送信領域（ＰＤＣＣＨ）とデータ領域（ＰＤＳＣＨ）を示した。一実施例において、１０ｍｓの無線フレーム（ｒａｄｉｏ  ｆｒａｍｅ）が使用され、一つの無線フレームは１０個のサブフレーム（ｓｕｂｆｒａｍｅ）で構成される。また、一つのサブフレームは二つの連続するスロットで構成される。一つのスロットの長さは０．５ｍｓである。また、一つのサブフレームは複数のＯＦＤＭシンボルで構成され、複数のＯＦＤＭシンボルのうち一部のシンボル（例えば、１番目のシンボル）は、Ｌ１／Ｌ２制御情報を送信するために使用することができる。 
【００７４】
無線フレームはデュプレックス（ｄｕｐｌｅｘ）モードによって異なるように設定（ｃｏｎｆｉｇｕｒｅ）され得る。例えば、ＦＤＤモードにおいて、下りリンク送信及び上りリンク送信は周波数によって区分されるため、無線フレームは特定の周波数帯域に対して下りリンクサブフレーム又は上りリンクサブフレームのいずれか一方だけを含む。ＴＤＤモードにおいて、下りリンク送信及び上りリンク送信は時間によって区分されるため、特定の周波数帯域に対して無線フレームは下りリンクサブフレーム及び上りリンクサブフレームの両方を含む。
【００７５】
サブフレームを送信するための時間は送信時間間隔（ｔｒａｎｓｍｉｓｓｉｏｎ  ｔｉｍｅ  ｉｎｔｅｒｖａｌ；ＴＴＩ）と定義される。時間リソースは、無線フレーム番号（或いは無線フレームインデックスともいう。）、サブフレーム番号（或いは、サブフレーム番号ともいう。）、スロット番号（或いはスロットインデックスともいう。）などによって区分することができる。ＴＴＩとは、データがスケジューリングされ得る間隔を意味する。例えば、現在ＬＴＥ／ＬＴＥ−ＡシステムにおいてＵＬグラント或いはＤＬグラントの送信機会は１ｍｓごとに存在し、１ｍｓより短い時間内にはＵＬ／ＤＬグラント機会が複数回存在しない。したがって、現在ＬＴＥ／ＬＴＥ−ＡシステムにおいてＴＴＩは１ｍｓである。
【００７６】
基地局と端末は、一般に特定制御信号又は特定サービスデータを除いては、送信チャネルであるＤＬ―ＳＣＨを用いる物理チャネルであるＰＤＳＣＨを介してデータを送信／受信する。ＰＤＳＣＨのデータがいずれの端末（一つ又は複数の端末）に送信されるもので、前記各端末がどのようにＰＤＳＣＨデータを受信してデコード（ｄｅｃｏｄｉｎｇ）しなければならないのかに対する情報などは、ＰＤＣＣＨに含まれて送信される。
【００７７】
例えば、特定のＰＤＣＣＨが「Ａ」というＲＮＴＩ（Ｒａｄｉｏ  Ｎｅｔｗｏｒｋ  Ｔｅｍｐｏｒａｒｙ  Ｉｄｅｎｔｉｔｙ）でＣＲＣマスク（ｍａｓｋｉｎｇ）されており、「Ｂ」という無線リソース（例えば、周波数位置）及び「Ｃ」という送信形式情報（例えば、輸送ブロックサイズ、変調方式、コーディング情報など）を用いて送信されるデータに関する情報が特定サブフレームを通じて送信されると仮定する。この場合、セル内の端末は、自身が有しているＲＮＴＩ情報を用いてＰＤＣＣＨをモニタし、「Ａ」ＲＮＴＩを有している一つ以上の端末があると、前記各端末はＰＤＣＣＨを受信し、受信したＰＤＣＣＨの情報を通じて「Ｂ」と「Ｃ」によって指示されるＰＤＳＣＨを受信する。
【００７８】
近い将来に全く移動可能でありつつ連結された社会が予想され、これは連結性（ｃｏｎｎｅｃｔｉｖｉｔｙ）、交通量及びもっと広い範囲の使用シナリオにおいて巨大な成長によって特徴付けられるであろう。一般的な趨勢は、データトラフィックの爆発的な成長、連結された装置の大幅な増加及び新しいサービスの持続的な出現を含む。市場要求事項の他にも、モバイル通信社会そのものはまたエコシステムの持続的な開発を要求し、これはスペクトル効率、エネルギー効率、動作効率、費用効率などのシステム効率をもっと改善する必要性を発生させる。市場及びモバイル通信社会からのずっと上昇する要求事項を満たすために、次世代接近技術が近い将来に出現すると期待される。
【００７９】
３ＧＰＰ  ＳＡ１研究項目であるＳＭＡＲＴＥＲ（Ｎｅｗ  Ｓｅｒｖｉｃｅｓ  ａｎｄ  Ｍａｒｋｅｔｓ  Ｔｅｃｈｎｏｌｏｇｙ  Ｅｎａｂｌｅｒｓ）及びＳＡ２研究項目であるＮＲシステムに対するアーキテクチャー（Ａｒｃｈｉｔｅｃｔｕｒｅ  ｆｏｒ  ＮＲ  ｓｙｓｔｅｍ）だけでなくＩＴＵ−ＲＭ．  ２０８３  “Ｆｒａｍｅｗｏｒｋ  ａｎｄ  ｏｖｅｒａｌｌ  ｏｂｊｅｃｔｉｖｅｓ  ｏｆ  ｔｈｅ  ｆｕｔｕｒｅ  ｄｅｖｅｌｏｐｍｅｎｔ  ｏｆ  ＩＭＴ  ｆｏｒ  ２０２０  ａｎｄ  ｂｅｙｏｎｄ”でのようにＩＴＵ及び３ＧＰＰで新しい無線（ＮＲ）システムに対する要求事項及び仕様を開発する作業が始まった。緊急な市場要求とＩＴＵ−Ｒ  ＩＭＴ−２０２０プロセスで提示するより長期的な要求事項を適時に満たすＮＲシステムを成功裏に標準化するために必要な技術構成要素を確認して開発しなければならない。これを達成するために無線インターフェース及び無線ネットワークアーキテクチャーの進化が“新しい無線接続技術”で考慮されなければならない。
【００８０】
図６は次世代システムにおいてプロトコル階層間の機能分離オプションの例を示す図である。
【００８１】
バックホール概念はＬＴＥ／ＬＴＥ−Ａシステムで使われる。バックホール（ｂａｃｋｈａｕｌ）は最も簡単にモバイルネットワークを有線ネットワークにまた連結する。５Ｇの新しいＲＡＴ（ｎｅｗ  ｒａｄｉｏ  ａｃｃｅｓｓ  ｔｅｃｈｎｏｌｏｇｙ）において、プロントホーリング（ｆｒｏｎｔｈａｕｌｉｎｇ）の概念が導入される。プロントホーリングは３ＧＰＰによって現在は特定されない内部ＲＡＮノード間のインターフェース及び送信能力を示す。プロントホーリングは無線プロトコル階層間の標準化したインターフェースを意味する。プロントホーリングの基本例は中央（ｃｅｎｔｒａｌ）ユニットとリモートユニット間の連結及びそれによる送信機能である。中央ユニットは全体／部分基底帯域（ｂａｓｅｂａｎｄ）機能及び上位階層制御機能を含む。これは多数のセルをハンドリングし、機能プール（ｆｕｎｃｔｉｏｎ  ｐｏｏｌ）としての役割をする。リモートユニットは伝統的なリモート無線ユニットの機能及び、可能であれば、部分基底帯域（ｂａｓｅｂａｎｄ）機能を含むことができる。プロントホーリングのために、相異なる機能的分離（ｓｐｌｉｔ）オプションが考慮される。図６は一つのネットワークで多数のプロントホーリングの可能な具現／展開（ｄｅｐｌｏｙｍｅｎｔ）だけでなく中央ユニット及びリモートユニット間の機能的分離（ｓｐｌｉｔ）に依存する候補プロントホーリングオプションを示す。
【００８２】
その結果として、相異なるプロトコル階層は相異なるネットワークノードに位置することができる。例えば、ＰＤＣＰエンティティは中央ユニットに位置する反面、ＰＤＣＰエンティティと関連するＲＬＣエンティティはリモートユニットに位置することができる。また、一つのリモートユニットは多数の中央ユニットと連結されることができる。すなわち、一つのリモートユニットは多数の中央ユニットの間に共有されることができる。
【００８３】
ＬＴＥ／ＬＴＥ−Ａシステムにおいて、ＭＡＣエンティティがｅＮＢからＵＬグラントを受信すれば、ＭＡＣエンティティは論理チャネル優先順位化（ｌｏｇｉｃａｌ  ｃｈａｎｎｅｌ  ｐｒｉｏｒｉｔｉｚａｔｉｏｎ、ＬＣＰ）過程を行ってＭＡＣエンティティにマッピングされたそれぞれのＲＬＣエンティティに対するＲＬＣサイズを決定する。その後、ＭＡＣエンティティはそれぞれのＲＬＣエンティティに決定されたＲＬＣサイズを指示する。ＲＬＣエンティティがＭＡＣエンティティからＲＬＣサイズの指示を受信すれば、ＲＬＣエンティティは指示されたＲＬＣサイズに合うようにＲＬＣ  ＳＤＵの分割／連接（ｓｅｇｍｅｎｔａｔｉｏｎ／ｃｏｎｃａｔｅｎａｔｉｏｎ）を遂行する。ＲＬＣ分割は必要時にだけ発生し、ＲＬＣ連接は順次遂行される。ＭＡＣエンティティにマッピングされたＲＬＣエンティティからＲＬＣ  ＰＤＵを受信した後、前記ＭＡＣエンティティは、受信されたＲＬＣ  ＰＤＵ及び潜在的な（ｐｏｔｅｎｔｉａｌｌｙ）ＭＡＣ制御要素を連接し、ＭＡＣヘッダーを添付（ａｔｔａｃｈ）することによってＭＡＣ  ＰＤＵを構成（ｃｏｎｓｔｒｕｃｔ）する。その後、ＭＡＣエンティティは受信されたＵＬグラントを用いて前記構成されたＭＡＣ  ＰＤＵを送信する。
【００８４】
前記過程から分かるように、ＵＥはＵＬグラント受信及びＵＬデータ送信間の多くのプロセスを遂行し、よって、それら間の時間はかなり長い。最も長い時間を消費するプロセスはＲＬＣ  ＳＤＵの分割／連接であり、これは可変ＭＡＣ  ＰＤＵサイズを支援するのに必須なプロセスである。５Ｇの新しいＲＡＴシステムにおいて、超低（ｕｌｔｒａ−ｌｏｗ）遅延（ｌａｔｅｎｃｙ）を保障するためには、ＵＬグラント受信及びＵＬデータ送信間のプロセシング時間を最小化することが重要である。
【００８５】
また、ＬＴＥ／ＬＴＥ−Ａシステムにおいては、ＰＤＣＰ及びＲＬＣはそれぞれのＳＮを付け加える。ＰＤＣＰ  ＳＮフィールドのサイズは１〜３バイトであり、ＲＬＣ  ＳＮフィールドのサイズは１〜２バイトである。また、ＭＡＣはＭＡＣヘッダーを付け加える。多くのバイトがＬ２ヘッダーによって消費されるので、５Ｇの新しいＲＡＴシステムでＬ２ヘッダーオーバーヘッドを減らすことが必須である。
【００８６】
ＬＴＥにおいて、使用者平面プロトコルは初めに比較的低いデータレート、すなわち１００Ｍｂｐｓのために設計された。一方、ＮＲはＬＴＥピークレートより２００倍大きいピーク２０Ｇｂｐｓまでの非常に高いデータレートを支援するように要求される。これは、ネットワークとＵＥの全ての計算が上りリンク及び下りリンクに対してほぼ２００倍増加することを意味する。ＮＲピークレートを達成するというのは、特にプロセシング及び消費電力に対する制約があるＵＥ側ではとても難しい。また、ＵＬグラントからデータ送信までの実時間プロセシングはＵＥで潜在的なボトルネック現象を引き起こすことがある。高いデータレートの結果として、一つのＴＴＩの間にプロセシングされたデータの量が増加する。例えば、下りリンクデータレートが２０Ｇｂｐｓであると仮定すれば、ＴＴＩ長さは１ｍｓであり、全てのＰＤＣＰ  ＳＤＵのサイズは１５００−Ｂｙｔｅであり、ヘッダーのサイズは無視され、一つのＴＴＩで送信されるデータビットは２０Ｇｂｉｔｓ／１０００＝２０Ｍｂｉｔｓであり、一つのＴＴＩで送信されるＰＤＣＰ  ＳＤＵの数は２０Ｍｂｉｔｓ／（１５００×８）＝１６６６．６でなければならない。これはそれぞれのＴＴＩ内で少なくとも１６６６個のＲＬＣ  ＳＤＵを一つのＲＬＣ  ＰＤＵで連接する必要があることを意味し、これはとても難しい。また、遅延を減少させるためにもっと短いＴＴＩ値が考慮されることができる。ところが、この減少したタイムラインは実時間プロセシングをもっと難しくする。よって、ＮＲでの使用者平面プロトコルは下りリンク及び上りリンクの両方に対してプロセシングに優しく設計されて簡略化されなければならない。
【００８７】
したがって、本発明はプロセシング時間及びシグナリングオーバーヘッドを最小化する新しいＬ２エンティティを提案する。
【００８８】
図７及び８は本発明によるＬ２エンティティの例を示す図である。特に、図７は送信側のＬ２エンティティの例を示し、図８は受信側のＬ２エンティティの例を示す。
【００８９】
本発明の送信（ＴＸ）側は、図７に示したように、受信側に送信されるデータをプロセシングすることができる。本発明の送信側は、ＳＤＵバッファー、ヘッダー圧縮エンティティ、ＳＮ付加エンティティ、暗号化／無欠性保護エンティティ、ＳＤＵ再送信バッファー、ＰＤＵ構成（ｃｏｎｓｔｒｕｃｔｉｏｎ）エンティティ及びＨＡＲＱエンティティを含むことができる。これらの機能性（ｆｕｎｃｔｉｏｎａｌ）エンティティはそれぞれＳ７０１〜Ｓ７０７を遂行することができる。その代案として、送信側の一つ以上のＬ２エンティティは本発明によってＳ７０１〜Ｓ７０７を行ってＬ２  ＰＤＵ（等）を生成することができる。すなわち、ＳＤＵバッファー、ヘッダー圧縮エンティティ、ＳＮ付加エンティティ、暗号化／無欠性保護エンティティ、ＳＤＵ再送信バッファー、ＰＤＵ構成エンティティ及びＨＡＲＱエンティティは一つのＬ２エンティティ／サブ階層又は一つより多いＬ２エンティティ／サブ階層によって具現されることができる。例えば、Ｓ７０１及びＳ７０４に対応するエンティティは一つのＬ２エンティティ／サブ階層（例えば、ＰＤＣＰ）によって具現されることができ、Ｓ７０５及びＳ７０６に対応するエンティティは他の一つのＬ２エンティティ／サブ階層（例えば、ＲＬＣ）によって具現されることができ、Ｓ７０７に対応するエンティティはさらに他の一つのＬ２エンティティ／サブ階層（例えば、ＭＡＣ）によって具現されることができる。
【００９０】
図７を参照すると、特に、送信（ＴＸ）側の一つ以上のＬ２エンティティは次のようにＳＤＵ（等）をプロセシングすることができる。
【００９１】
それぞれのＳＤＵ及び／又はそれぞれのＳＤＵセグメントに対して、シーケンス番号（ＳＮ）フィールド、分割（ｓｅｇｍｅｎｔａｔｉｏｎ、ＳＥＧ）フィールド、及びフレーミング情報（ｆｒａｍｉｎｇ  ｉｎｆｏｒｍａｔｉｏｎ、ＦＩ）フィールドが付け加わる。ＳＮ、ＳＥＧ、及びＦＩフィールドの全長はバイト整列される。以下、ＰＤＵに含まれるＳＤＵ又はＳＤＵセグメントはＳＤＵ要素（ｅｌｅｍｅｎｔ）と呼ばれる。
【００９２】
図９は本発明によるＳＤＵ又はＳＤＵセグメントに対する（サブ）ヘッダーの例を示す図である。例えば、それぞれのＳＤＵ及び／又はＳＤＵセグメントに対して、１８ビットＳＮフィールド、４ビットＳＥＧフィールド、２ビットＦＩフィールドが使われることができる。
【００９３】
本発明のＳＮフィールドはＳＤＵを特異的に識別する値にセットされる（Ｓ７０３）。同じＳＤＵに属する全てのＳＤＵセグメントはＳＤＵに割り当てられた同じＳＮ値を有する。
【００９４】
ＳＥＧフィールドは該当ＳＤＵ要素が完全な（ｃｏｍｐｌｅｔｅ）ＳＤＵであるか又はＳＤＵセグメントであるかを示す。特定値、例えば、０は完全なＳＤＵであることを示すのに使われる。ＳＤＵセグメントであれば、ＳＥＧフィールドは所定値にセットされて、ＳＤＵ内でＳＤＵセグメントのセグメント順、例えば、第１セグメントに対するＳＥＧ＝１、第２セグメントに対するＳＥＧ＝２などを示す。
【００９５】
ＦＩフィールドはＳＤＵ要素の最初のバイトが原本（ｏｒｉｇｉｎａｌ）ＳＤＵの最初のバイトであるか及びＳＤＵ要素の最後のバイトが原本（ｏｒｉｇｉｎａｌ）ＳＤＵの最後のバイトであるかを示す。例えば、ＦＩが２ビットであれば、次の定義を使うことができる。
【００９６】
＊ＦＩ＝００：ＳＤＵ要素の最初のバイトが原本ＳＤＵの最初のバイトであり、ＳＤＵ要素の最後のバイトが原本ＳＤＵの最後のバイトである。
【００９７】
＊ＦＩ＝０１：ＳＤＵ要素の最初のバイトが原本ＳＤＵの最初のバイトであり、ＳＤＵ要素の最後のバイトが原本ＳＤＵの最後のバイトではない。
【００９８】
＊ＦＩ＝１０：ＳＤＵ要素の最初のバイトが原本ＳＤＵの最初のバイトではなく、ＳＤＵ要素の最後のバイトが原本ＳＤＵの最後のバイトである。
【００９９】
＊ＦＩ＝１１：ＳＤＵ要素の最初のバイトが原本ＳＤＵの最初のバイトではなく、ＳＤＵ要素の最後のバイトが原本ＳＤＵの最後のバイトではない。
【０１００】
分割（Ｓ７０６）がＳＤＵに適用される前、ＳＥＧフィールドは特殊値、例えば０にセットされ、ＦＩフィールドは００にセットされる。
【０１０１】
分割（Ｓ７０６）がＳＤＵに適用された後、それぞれのＳＤＵセグメントに対して、ＳＥＧフィールドはＳＤＵ内のセグメント順によって所定の値にアップデートされ、ＦＩフィールドは分割がＳＤＵ要素の一番目及び最後のバイトに対して遂行されるかによって０１、１０又は１１にアップデートされる。
【０１０２】
分割はＬ２  ＰＤＵ内の最初のＳＤＵ要素又は最後のＳＤＵ要素に対してのみ遂行されることができる。すなわち、Ｌ２  ＰＤＵはＳＤＵセグメントを最初又は最後のＳＤＵ要素として含むことができる。Ｌ２  ＰＤＵ内の中間ＳＤＵ要素は完全なＳＤＵであり、ＳＤＵセグメントであることはない。
【０１０３】
ＵＬグラントが受信されれば、Ｌ２エンティティ（例えば、ＰＤＵ構成エンティティ）はＳＤＵ再送信バッファーに保存されたＳＤＵを分割／連接することによってＬ２  ＰＤＵを構成する（Ｓ７０６）。
【０１０４】
Ｌ２  ＰＤＵヘッダーがＰＤＵの前に付加され、それぞれのＳＤＵ、ＳＤＵセグメント及び（含まれる場合）制御要素に対するタイプ及び長さ指示子（ｌｅｎｇｔｈ  ｉｎｄｉｃａｔｏｒ、ＬＩ）フィールドを含む。タイプフィールドは該当ペイロードがＳＤＵ、ＳＤＵセグメント又は制御要素であるかを示す。ＬＩフィールドは該当ペイロードの長さを示す。
【０１０５】
それぞれのＳＤＵ及びＳＤＵセグメントに対して、Ｌ２  ＰＤＵヘッダーはＬＩ、ＳＮ、ＳＥＧ、及びＦＩフィールドの少なくとも一つを含むことができる。
【０１０６】
制御要素（ｃｏｎｔｒｏｌ  ｅｌｅｍｅｎｔ、ＣＥ）は個別Ｌ２  ＰＤＵ、すなわち、Ｌ２制御ＰＤＵとして送信されるものと定義されることができる。この場合、Ｌ２データＰＤＵには制御要素がない。Ｌ２  ＰＤＵヘッダーはＬ２  ＰＤＵがデータＰＤＵであるか又は制御ＰＤＵであるかを示すＤ／Ｃフィールドを含むことができる。
【０１０７】
ヘッダー圧縮（Ｓ７０２）されて暗号化／無欠性保護（Ｓ７０４）されたＳＤＵはＳＤＵ再送信バッファーに保存される（Ｓ７０５）。ＳＮ、ＳＥＧ及びＦＩフィールドはＳＤＵとともにＳＤＵ再送信バッファーに保存されることも保存されないこともある。
【０１０８】
Ｌ２状態報告が受信されれば、Ｌ２エンティティはＬ２状態報告でＮＡＣＫとして指示されたＳＤＵ再送信バッファーに保存されたＳＤＵを再送信する（Ｓ７０７）。
【０１０９】
本発明の受信（ＲＸ）側は、図８に示したように、送信側から受信されたデータをプロセシングすることができる。本発明の受信側はＨＡＲＱエンティティ、制御情報抽出エンティティ、ＳＤＵセグメント再整列（ｒｅｏｒｄｅｒｉｎｇ）エンティティ、ＳＤＵリアセンブリーエンティティ、復号化（ｄｅｃｉｐｈｅｒｉｎｇ）／無欠性（ｉｎｔｅｇｒｉｔｙ）検証（ｃｈｅｃｋ）エンティティ、ＳＤＵ受信バッファー／ＳＤＵ再整列エンティティ、ＳＮ分離（ｄｅｔａｃｈｍｅｎｔ）エンティティ、ヘッダー圧縮解除（ｄｅｃｏｍｐｒｅｓｓｉｏｎ）エンティティ及びＳＤＵ配達（ｄｅｌｉｖｅｒｙ）エンティティを含むことができる。これらの機能性（ｆｕｎｃｔｉｏｎａｌ）エンティティはそれぞれＳ８０１〜Ｓ８０９を遂行することができる。もしくは、受信側の一つ以上のＬ２エンティティが本発明によってＳ８０１〜Ｓ８０９を行ってＬ２  ＰＤＵからＳＤＵを得ることができる。すなわち、ＨＡＲＱエンティティ、制御情報抽出エンティティ、ＳＤＵセグメント再整列エンティティ、ＳＤＵリアセンブリーエンティティ、復号化／無欠性検証エンティティ、ＳＤＵ受信バッファー／ＳＤＵ再整列エンティティ、ＳＮ分離エンティティ、ヘッダー圧縮解除エンティティ及びＳＤＵ配達エンティティは一つのＬ２エンティティ／サブ階層又は１より多いＬ２エンティティ／サブ階層によって具現されることができる。例えば、Ｓ８０１に対応するエンティティはＬ２エンティティ／サブヘッダー（例えば、ＭＡＣ）によって具現されることができ、Ｓ８０２〜Ｓ８０４に対応するエンティティは他の一つのＬ２エンティティ／サブ階層（例えば、ＲＬＣ）によって具現されることができ、Ｓ８０５〜Ｓ８０９に対応するエンティティはさらに他の一つのＬ２エンティティ／サブ階層（例えば、ＰＤＣＰ）によって具現されることができる。
【０１１０】
図８を参照すると、特に受信（ＲＸ）側の一つ以上のＬ２エンティティは次のようにＳＤＵ（等）をプロセシングすることができる。
【０１１１】
本発明の受信側は２タイプの再整列を遂行することができる。第１タイプはＳＤＵセグメント再整列であり、第２タイプはＳＤＵ再整列である。
【０１１２】
ＳＤＵセグメント再整列はＳＮ、ＳＥＧ、及びＦＩフィールドを用いてＳＤＵセグメントに対して遂行される（Ｓ８０３）。Ｌ２エンティティは同じＳＤＵに属する全てのＳＤＵセグメントの受信を待つ。これはＦＩ＝０の最初のビット及びＦＩ＝０の最後のビットが受信されるか及び全てのＳＥＧが連続的であるかをチェックすることでなることができる。
【０１１３】
Ｌ２エンティティはセグメント再整列タイマーを用いてＳＤＵの全てのＳＤＵセグメントを受信する。Ｌ２エンティティはＳＤＵのＳＤＵセグメントが受信されるときタイマーを開始し、ＳＤＵの全てのＳＤＵセグメントが受信されればタイマーを中止する。タイマーが満了すれば、Ｌ２エンティティは一つ以上の紛失ＳＤＵセグメントを有するＳＤＵを紛失と見なしてＳＤＵの全てのＳＤＵセグメントを廃棄する。Ｌ２エンティティはＬ２セグメント状態報告をピアーＬ２エンティティに送信して紛失ＳＤＵセグメントの再送信を要請する。
【０１１４】
レガシーＬＴＥ／ＬＴＥ−Ａシステムにおいて、受信側のＲＬＣエンティティはＲＬＣデータＰＤＵが順に受信されなければこれらを再整列し、再整列されたＲＬＣデータＰＤＵからＲＬＣ  ＳＤＵをリアセンブリングし、ＲＬＣ  ＳＤＵを順にＰＤＣＰに配達する。すると、ＰＤＣＰはＲＬＣから順に受信されたＲＬＣ  ＳＤＵに対して復号化／無欠性検証を遂行する。すなわち、レガシーＬＴＥ／ＬＴＥ−Ａシステムにおいて、ＲＬＣ  ＳＤＵが順に配達されるように再整列された後、ＲＬＣ  ＳＤＵに対して復号化／無欠性検証を遂行する。次世代通信システムにおいて、多量の下位階層ＰＤＵが同時に受信側に到逹することができると期待される。この場合、ＳＤＵの順次配達は順次配達に必要なＳＤＵを含む下位階層ＰＤＵが全て順次配達エンティティで受信された後に遂行されるから、ＳＤＵの順次配達は遅延を引き起こす。その他に、多量のＳＤＵが一度に復号化／無欠性検証エンティティに配達されれば、ＳＤＵの復号化／無欠性検証にあまりにも多い負荷がかかる。よって、本発明はＳＤＵリアセンブリー後に復号化／無欠性検証エンティティ（例えば、ＰＤＣＰ）への完全なＳＤＵの非順次配達を許容するように提案する（Ｓ８０４）。Ｌ２エンティティがＳＤＵセグメント再整列を遂行するとき、前記Ｌ２エンティティはＳＤＵ順次配達を支援しない。すなわち、一旦ＳＤＵの全てのＳＤＵセグメントが受信されれば、Ｌ２エンティティは完全なＳＤＵを上位機能エンティティ（すなわち、復号化／無欠性検証）にＳＮの順序にかかわらず直ちに配達する。本発明によると、ＳＤＵ（例えば、ＰＤＣＰ  ＰＤＵ）の非順次（ｏｕｔ−ｏｆ−ｏｒｄｅｒ）復号化は復号化／無欠性検証エンティティで可能である（Ｓ８０５）。
【０１１５】
図８はＳ８０６〜Ｓ８０９に対応する４個の機能エンティティが存在することを示すが、Ｓ８０６〜Ｓ８０９に対応する機能は一つの機能エンティティ（例えば、ＳＤＵ再整列バッファー）で遂行されることができ、それらのうちいくつかの機能（例えば、Ｓ８０７、Ｓ８０８）は遂行されないこともある。
【０１１６】
ＳＤＵの復号化／無欠性検証を遂行した後（Ｓ８０５）、Ｌ２エンティティはＳＤＵ再整列バッファーにＳＤＵを保存する（Ｓ８０６）。ＳＤＵ再整列バッファーにおいて、Ｌ２エンティティはそれぞれのＳＮに基づいてＳＤＵをＳＮの昇順で再整列する。紛失されたＳＤＵがあれば、Ｌ２エンティティはＬ２状態報告をピアーＬ２エンティティに送信して、紛失されたＳＤＵの再送信を要請することができる。Ｌ２状態報告において、Ｌ２エンティティは正確に受信されたＳＤＵに対してはＡＣＫを指示し、紛失されたＳＤＵに対してはＮＡＣＫを指示する。Ｌ２エンティティは全ての紛失されたＳＤＵを受信するために再整列タイマーを用いることができる。Ｌ２エンティティは非順次ＳＤＵが受信されればタイマーを開始し、全てのＳＤＵが順次的であればタイマーを中止する。タイマーが満了し、少なくとも一つの紛失ＳＤＵがあれば、Ｌ２エンティティはＬ２状態報告をピアーＬ２エンティティに送信して、紛失されたＳＤＵの再送信を要請することができる。
【０１１７】
ＳＤＵ再整列バッファーはＳＤＵをＳＮ（等）の昇順で上位機能エンティティに配達する。
【０１１８】
ＰＤＵが多数のＳＤＵ要素を含めば、ＳＤＵ要素はＰＤＵでそれぞれのＳＮの順に位置する。図７及び図８に示したように、それぞれのＳＤＵセグメントはＰＤＵで最初又は最後のＳＤＵ要素として位置する。すなわち、ＰＤＵがＳＤＵ要素として一つ又は二つのＳＤＵセグメントを含む場合、前記一つ又は二つのＳＤＵは一番目及び最後のＳＤＵの間に位置することができない。ＳＤＵ要素の中間に位置するＳＤＵ要素（等）はいつも完全な（ｃｏｍｐｌｅｔｅ）ＳＤＵである。
【０１１９】
本発明は次の有利な効果を有する。レガシーＬＴＥ／ＬＴＥ−Ａシステムにおいて、ＳＮフィールドはＵＭＤ又はＡＭＤ  ＰＤＵが一つのＳＤＵ又は多数のＳＤＵを含むかにかかわらず該当ＵＭＤ又はＡＭＤ  ＰＤＵのシーケンス番号を示す。レガシーＬＴＥ／ＬＴＥ−Ａシステムのシーケンス番号はＵＭＤ又はＡＭＤ  ＰＤＵごとに一つずつ増分（ｉｎｃｒｅｍｅｎｔ）される。レガシーＬＴＥ／ＬＴＥ−Ａシステムとは違い、本発明はＰＤＵごとではなくてＳＤＵごとにＳＮを割り当てる。よって、ＰＤＵが相異なるＳＤＵからのＳＤＵ要素を含めば、本発明によるＰＤＵは相異なるＳＤＵに対応するそれぞれのＳＮ値を含む。すなわち、本発明において、ＳＮ付加エンティティを含むＬ２機能性エンティティは、ＰＤＵが下位階層によって指示されたＰＤＵサイズ内に合わなくても、ＳＤＵを連接（ｃｏｎｃａｔｅｎａｔｅ）しない。本発明はＳＤＵ要素を連接せずにＳＤＵ要素及び該当ＳＮを含むＰＤＵを生成する。現在のＬＴＥプロトコルにおいて、ＲＬＣ  ＰＤＵ及びＭＡＣサブヘッダーは連接及び分割のため予め計算できない。連接を除去（ｒｅｍｏｖｅ）することは送信側で次のような利点を有する。連接がＳＮ付加エンティティを含むＬ２機能性エンティティ（例えば、ＲＬＣ）で遂行されれば、一つのＰＤＵにマルチプレックシングされたＳＤＵが他のＰＤＵの完了（ｃｏｍｐｌｅｔｉｏｎ）後にだけ決定されることができるから、順次プロセシングのみが可能であり、よって、ＰＤＵに対するＳＮ付加は前記ＰＤＵに対するＳＤＵの連接後に遂行されることができる。一方、ＳＮ付加エンティティを含むＬ２機能性エンティティ（例えば、ＲＬＣ）で連接が遂行されなければ、一つのＰＤＵ（例えば、ＭＡＣ  ＰＤＵ）にマルチプレックシングされたＳＤＵ（例えば、ＰＤＣＰ  ＰＤＵ）が他のＰＤＵと関係なく決定されることができるから並列プロセシングが可能であり、ＳＤＵへのＳＮ付加が並列で遂行されることができる。追加的に、ＭＡＣ  ＳＤＵに隣接してＭＡＣサブヘッダーを配置することにより、ＭＡＣの事前計算（ｐｒｅ−ｃｏｍｐｕｔａｔｉｏｎ）が可能である。これはＵＬグラント前に完全なＭＡＣ  ＰＤＵが準備されることができることを意味する。一つ以上の潜在的（ｐｏｔｅｎｔｉａｌ）利点は、ＭＡＣ  ＰＤＵが全く構成（ｃｏｎｓｔｒｕｃｔ）される前、最初のＭＡＣ  ＳＤＵが準備されるとすぐＭＡＣエンティティが物理階層（ＰＨＹ）にＭＡＣ  ＳＤＵをフォワーディングし始めることができることである。これは、ＭＡＣがＰＨＹにフォワーディングする前に全てのＰＤＵを形成する必要がないから、プロセシングの間にハードウェアメモリ要求事項を緩和させることができる。また、大量のデータをプロセシングするとともにＵＥ側でプロセシングボトルネック（ｂｏｔｔｌｅｎｅｃｋ）を防止するために、使用者平面機能の一部でハードウェア加速器（ａｃｃｅｌｅｒａｔｏｒ）の助けが考慮される必要がある。ハードウェア加速器はメインプロセッサと別途のハードウェアユニットである。ハードウェア加速器におけるオフローディング（ｏｆｆｌｏａｄｉｎｇ）によって、もっと少ないメモリ接続を有する早いプロセシングが可能である。また、オフローディングはメ��ンプロセッサの作業負荷だけでなくＵＥ側の総消費電力を減少させる。このような理由で、ＵＥのメインプロセッサに対する要求事項は緩和され、ＵＥ具現に対する柔軟性が増加することができる。このようなハードウェア加速性能は反復的で集中的な作業のために最大化される。連接を除去することにより、長さ指示子（ＬＩ）フィールドは必要ではなく、ＲＬＣ  ＰＤＵ構造はもっと簡単になることができる。大部分のＲＬＣ  ＰＤＵは一つの固定サイズＲＬＣヘッダー及び一つのＲＬＣ  ＳＤＵで構成される。最後のＲＬＣ  ＳＤＵのみが追加的にセグメントオフセット（ＳＯ）フィールドを有する。また、ＲＬＣ内のＬＩフィールド及びＭＡＣ内の長さ（Ｌ）フィールドはＬフィールドに統合される。よって、ヘッダー構造はもっと簡単になる。また、類似した機能と見なされる連接及びマルチプレックシングはマルチプレックシングによって併合される。この簡素化は他の隠された費用と見なされるＵＥ具現設計の努力を減少させる。この構造はハードウェア加速器によるＴＸプロセシングに有利である。
【０１２０】
連接除去は受信側で次のような利得を有する。送信側と同様に、早いプロセシングのためのハードウェア加速器の助けがＵＥ受信側で考慮される必要がある。同様に、連接除去はＵＥ受信側にハードウェア加速器に対するより適切な構造、すなわち、簡単で反復的でありかつ集中的な作業をもたらす。ハードウェア加速に対するＬＴＥ連接の問題点はいくら多くのＳＤＵが連接されるかが受信機が分からないことである。よって、ＲＬＣヘッダーをデコーディングするために充分に大きなメモリサイズを残しておかなければならない。これは非効率的であるだけでなく受信プロセシング速度を減少させる。連接を除去することによって分散された固定サイズＲＬＣヘッダーは効率的な構造であると思われることができる。この効率性はＭＡＣ  ＳＤＵに隣接したＭＡＣサブヘッダーに対しても同様に達成されることができる。全てのＭＡＣ  ＰＤＵがＭＡＣエンティティに到逹する場合にだけＲＬＣリアセンブリーが始まることができる。ＭＡＣ  ＰＤＵの終わりにあるヘッダーのため、リアセンブリーは停止（ｓｕｓｐｅｎｄｅｄ）されなければならなく、よって、受信側のプロセシング遅延（ｌａｔｅｎｃｙ）が増加する。ＭＡＣエンティティが完全な受信までＭＡＣ  ＰＤＵをバッファリングするので、バッファリングのための追加のメモリが必要である。
【０１２１】
また、ＲＬＣシーケンスナンバリング及びＡＲＱは非実時間プロセシングであるように思われるが、ＬＴＥ使用者平面アーキテクチャーでの連結はスケジューリングに関連した実時間プロセシングである。連接を除去することにより、シーケンスナンバリング及びＡＲＱの配置（ｐｌａｃｅｍｅｎｔ）は、リンク品質に基づいた物理リソース割当がシーケンスナンバリングに必要でないから、スケジューリングとは独立的であり得る。例えば、ＣＵでのＲＬＣシーケンスナンバリング及びＡＲＱそしてＤＵでのスケジューリング機能の分離（ｓｐｌｉｔ）オプションが可能である。また、連接除去は、何の制限もなく、それらが同じ場所に位置する他のオプションに適用されることができる。結果的に、連接除去はＣＵ−ＤＵ分離のためのネットワーク具現の柔軟性を増加させる。
【０１２２】
５Ｇの新しいｎｅｗＲＡＴ（ＮＲ）システムにおいて、中央ユニット（ｃｅｎｔｒａｌ  ｕｎｉｔ、ＣＵ）及び分散ユニット（ｄｉｓｔｒｉｂｕｔｅｄ  ｕｎｉｔ、ＤＵ）は二つの相異なるノードに分離されることができる。一つのＣＵは多数のＤＵに連結されることができる。したがって、ＬＴＥ  Ｌ２の全ての機能が再考慮される必要がある。すなわち、各機能のプロセシング順序及び位置が再設計される必要がある。本発明において、ＮＲのためのＬ２機能のプロセシング順序及び位置が提案される。次の説明で、ＣＵ−ＤＵ分離（ｓｐｌｉｔ）によるＬ２機能エンティティの分割（ｄｉｖｉｓｉｏｎ）はＬ２階層を分割（ｄｉｖｉｄｅ）することによって実現することができる。例えば、ＣＵに位置する機能は第１Ｌ２サブ階層で遂行されることができ、ＤＵに位置する機能は第２Ｌ２サブ階層で遂行されることができる。
【０１２３】
例えば、ネットワーク側で、中央ユニット（ＣＵ）分配ユニット（ＤＵ）分離が存在すれば、Ｌ２エンティティの送信側及び受信側は次のように一つ以上の機能エンティティで形成されることができる。
【０１２４】
＊送信側
【０１２５】
＞ＣＵ：ＳＤＵバッファー、ヘッダー圧縮、ＳＮ付加、暗号化／無欠性保護。
【０１２６】
＞ＤＵ：ＳＤＵ再送信バッファー、ＰＤＵ構成（ｃｏｎｓｔｒｕｃｔｉｏｎ）、ＨＡＲＱ。
【０１２７】
＊受信側
【０１２８】
＞ＣＵ：ＳＤＵ伝達、ヘッダー圧縮解除、ＳＮ分離（ｄｅｔａｃｈｍｅｎｔ）、ＳＤＵ再整列、復号化／無欠性検証。
【０１２９】
＞ＤＵ：ＳＤＵリアセンブリー、ＳＤＵセグメント再整列、制御情報抽出、ＨＡＲＱ。
【０１３０】
送信側及び受信側のそれぞれのＣＵ及びＤＵ機能エンティティは一つのＬ２エンティティ又は二つの相異なるＬ２エンティティに含まれる。例えば、ＵＥ側で、ＣＵの機能エンティティとＤＵの機能エンティティは二つの相異なるＬ２エンティティにそれぞれ対応するとか二つの相異なるＬ２サブ階層にそれぞれ対応することができる。
【０１３１】
ネットワーク側で、ＣＵ及びＤＵエンティティは相異なる位置に位置することができる。ＵＥ側で、ＣＵ及びＤＵエンティティはＵＥに位置し、ＣＵ及びＤＵエンティティ間の分離はただ論理的分離である。
【０１３２】
図１０は、本発明を実行する送信装置１００及び受信装置２００の構成要素を示すブロック図である。
【０１３３】
送信装置１００及び受信装置２００は、情報及び／又はデータ、信号、メッセージなどを搬送する無線信号を送信又は受信できる無線周波数（ｒａｄｉｏ  ｆｒｅｑｕｅｎｃｙ、ＲＦ）ユニット１３，２３と、無線通信システムにおける通信と関連した各種情報を記憶するメモリ１２，２２と、上記ＲＦユニット１３，２３及びメモリ１２，２２などの構成要素と動作的に連結され、上記構成要素を制御して該当装置が前述した本発明の実施例の少なくとも１つを行うようにメモリ１２，２２及び／又はＲＦユニット１３，２３を制御するように構成された（ｃｏｎｆｉｇｕｒｅｄ）プロセッサ１１，２１とをそれぞれ備える。
【０１３４】
メモリ１２，２２は、プロセッサ１１，２１の処理及び制御のためのプログラムを格納することができ、入／出力される情報を臨時記憶することができる。メモリ１２，２２をバッファーとして活用することができる。
【０１３５】
プロセッサ１１，２１は、通常、送信装置又は受信装置内の各種モジュールの全般的な動作を制御する。特に、プロセッサ１１，２１は、本発明を実行するための各種の制御機能を実行することができる。プロセッサ１１，２１は、コントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）などと呼ぶこともできる。プロセッサ１１，２１は、ハードウェア（ｈａｒｄｗａｒｅ）、ファームウェア（ｆｉｒｍｗａｒｅ）、ソフトウェア、又はそれらの結合によって具現することができる。ハードウェアを用いて本発明を具現する場合には、本発明を実行するように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）などをプロセッサ１１，２１に具備することができる。一方、ファームウェアやソフトウェアを用いて本発明を具現する場合には、本発明の機能又は動作を実行するモジュール、手順又は関数などを含むようにファームウェアやソフトウェアを構成することができ、本発明を実行するように構成されたファームウェア又はソフトウェアは、プロセッサ１１，２１内に設けられてもよく、メモリ１２，２２に記憶されてプロセッサ１１，２１によって駆動されてもよい。
【０１３６】
送信装置１００のプロセッサ１１は、プロセッサ１１又はプロセッサ１１と接続されたスケジューラからスケジュールされて外部に送信される信号及び／又はデータに対して所定のコーディング（ｃｏｄｉｎｇ）及び変調（ｍｏｄｕｌａｔｉｏｎ）を行った後にＲＦユニット１３に送信する。例えば、プロセッサ１１は、送信しようとするデータ列を逆多重化及びチャネルコーディング、スクランブリング、変調過程などを経てK個のレイヤに変換する。コーディングされたデータ列はコードワードとも呼ばれ、ＭＡＣ層の提供するデータブロックである輸送ブロックと等価である。１つの輸送ブロック（ｔｒａｎｓｐｏｒｔ  ｂｌｏｃｋ、ＴＢ）は１つのコードワードにコーディングされ、各コードワードは、１つ以上のレイヤの形態で受信装置に送信される。周波数アップコンバートのためにＲＦユニット１３はオシレーター（ｏｓｃｉｌｌａｔｏｒ）を備えることができる。ＲＦユニット１３は、Ｎｔ個（Ｎｔは１以上の正の整数）の送信アンテナを有することができる。
【０１３７】
受信装置２００の信号処理過程は、送信装置１００の信号処理過程の逆に構成される。プロセッサ２１の制御下に、受信装置２００のＲＦユニット２３は送信装置１００によって送信された無線信号を受信する。ＲＦユニット２３はＮｒ個の受信アンテナを有することができ、ＲＦユニット２３は、受信アンテナで受信した信号のそれぞれを周波数ダウンコンバート（ｆｒｅｑｕｅｎｃｙ  ｄｏｗｎ−ｃｏｎｖｅｒｔ）して基底帯域信号に復元する。ＲＦユニット２３は、周波数ダウンコンバートのためにオシレーターを備えることができる。プロセッサ２１は、受信アンテナで受信した無線信号に対する復号（ｄｅｃｏｄｉｎｇ）及び復調（ｄｅｍｏｄｕｌａｔｉｏｎ）を行い、送信装置１００が本来送信しようとしたデータを復元することができる。
【０１３８】
ＲＦユニット１３，２３は、１つ以上のアンテナを具備する。アンテナは、プロセッサ１１，２１の制御下に、本発明の一実施例によって、ＲＦユニット１３，２３によって処理された信号を外部に送信したり、外部から無線信号を受信してＲＦユニット１３，２３に伝達する機能を果たす。アンテナは、アンテナポートとも呼ばれる。各アンテナは、１つの物理アンテナに該当してもよく、１つよりも多い物理アンテナ要素（ｅｌｅｍｅｎｔ）の組合せによって構成されてもよい。各アンテナから送信された信号は、受信装置２００でそれ以上分解することができない。該当アンテナに対応して送信された参照信号（ｒｅｆｅｒｅｎｃｅ  ｓｉｇｎａｌ、ＲＳ）は、受信装置２００の観点で見たアンテナを定義し、チャネルが１つの物理アンテナからの単一（ｓｉｎｇｌｅ）無線チャネルか或いは上記アンテナを含む複数の物理アンテナ要素（ｅｌｅｍｅｎｔ）からの合成（ｃｏｍｐｏｓｉｔｅ）チャネルかに関係なく、上記受信装置２００にとって上記アンテナに対するチャネル推定を可能にする。すなわち、アンテナは、上記アンテナ上のシンボルを伝達するチャネルが、上記同一アンテナ上の他のシンボルが伝達される上記チャネルから導出されうるように定義される。複数のアンテナを用いてデータを送受信する多重入出力（Ｍｕｌｔｉ−Ｉｎｐｕｔ  Ｍｕｌｔｉ−Ｏｕｔｐｕｔ、ＭＩＭＯ）機能を支援するＲＦユニットの場合は、２個以上のアンテナと接続することができる。
【０１３９】
本発明の実施例において、ＵＥは、上りリンクでは送信装置１００として動作し、下りリンクでは受信装置２００として動作する。本発明の実施例において、ｅＮＢは、上りリンクでは受信装置２００として動作し、下りリンクでは送信装置１００として動作する。以下、ＵＥに具備されたプロセッサ、ＲＦユニット及びメモリを、ＵＥプロセッサ、ＵＥ  ＲＦユニット及びＵＥメモリとそれぞれ称し、ｅＮＢに具備されたプロセッサ、ＲＦユニット及びメモリを、ｅＮＢプロセッサ、ｅＮＢ  ＲＦユニット及びｅＮＢメモリとそれぞれ称する。
【０１４０】
送信装置１００のプロセッサは本発明によってＳＤＵをプロセシングしてＰＤＵ（等）を生成することができ、ＲＦユニット１３を制御してＰＤＵ（等）を含む無線信号を受信装置２００に送信することができる。プロセッサ１１は本発明の例によって機能エンティティで構成されることができる。プロセッサ１１は本発明の例によってＬ２サブ階層で構成されることができる。プロセッサ１１はＳＤＵごとにＳＮを付け加えて一つ以上のＳＤＵ及びゼロ以上のＳＤＵセグメントを含むＰＤＵを生成することができる。ＰＤＵはＳＤＵ（等）及びＳＤＵセグメントのそれぞれに対するＳＮを含む。プロセッサ１１は同じＰＤＵから得たＳＤＵセグメントのそれぞれに同じＳＮを付け加えることができる。
【０１４１】
受信装置２００のＲＦユニット２３は送信装置１００からＳＤＵ（等）及び／又はＳＤＵセグメントを受信することができる。ＳＤＵ（等）及び／又はＳＤＵセグメント（等）は送信装置１００から受信されたＰＤＵ（等）に含まれることができる。受信装置２００のプロセッサ２１は本発明によってＰＤＵ（等）からＳＤＵを得ることができる。ＰＤＵ（等）はＭＡＣ  ＰＤＵ（等）であってもよい。プロセッサ２１は本発明の例によって機能エンティティで構成されることができる。プロセッサ２１は本発明の例によってＬ２サブ階層で構成されることができる。プロセッサ２１は送信装置１００から受信されたＰＤＵからＳＤＵ（等）又はＳＤＵセグメント（等）を得ることができる。プロセッサ２１はリアセンブリーエンティティでＳＤＵセグメントからＳＤＵ（等）をリアセンブリングし、ＳＤＵ（等）を非順次に復号化／無欠性検証エンティティに配達することができる。完全なＳＤＵがリアセンブリーエンティティに到逹すれば、リアセンブリーエンティティは完全なＳＤＵを直ちに復号化／無欠性検証エンティティに配達することができる。すなわち、ＳＤＵはＳＤＵリアセンブリー機能を有する第１階層（例えば、ＲＬＣ階層）から復号化／無欠性検証機能を有する第２階層（例えば、ＰＤＣＰ）に非順次に配達される。プロセッサ２１はＳＤＵＳＮの手順と関係なく第１階層からのＳＤＵなどの受信順で暗号解読／無欠性検証エンティティでＳＤＵに対する復号化／無欠性検証を遂行する。プロセッサ２１はそれぞれのＳＮによって第２階層で復号化／無欠性検証されたＳＤＵを再整列することができ、再整列されたＳＤＵを上位階層に順次に配達することができる。例えば、図８を参照すると、プロセッサ２１は、ＳＤＵ３、ＳＤＵ４、ＳＤＵ１、ＳＤＵ２をＳＤＵ１、ＳＤＵ２、ＳＤＵ３、ＳＤＵ４に再整列し、ＳＤＵをそれぞれのＳＮの昇順で、すなわち、ＳＤＵ１、ＳＤＵ２、ＳＤＵ３、ＳＤＵ４の順に配達することができる。
【０１４２】
上述したように開示された本発明の好適な実施例に関する詳細な説明は、当業者が本発明を具現して実施できるように提供された。上記では本発明の好適な実施例を参照して説明したが、当該技術の分野における熟練した当業者にとっては、添付の特許請求の範囲に記載された本発明を様々に修正及び変更させることができるということは明らかである。したがって、本発明は、ここに開示された実施の形態に制限しようとするものではなく、ここに開示された原理及び新規な特徴と一致する最も広い範囲を与えようとするものである。
【産業上の利用可能性】
【０１４３】
本発明の実施例は、無線通信システムにおいて、基地局又はユーザ機器、その他の装備に用いることができる。
【図１】
2019514249.tif 000003
【図２】
2019514249.tif 000004
【図３】
2019514249.tif 000005
【図４（ａ）】
2019514249.tif 000006
【図４（ｂ）】
2019514249.tif 000007
【図５】
2019514249.tif 000008
【図６】
2019514249.tif 000009
【図７】
2019514249.tif 000010
【図８】
2019514249.tif 000011
【図９】
2019514249.tif 000012
【図１０】
2019514249.tif 000013
【国際調査報告】
2019514249.tif 000014
2019514249.tif 000015
2019514249.tif 000016
2019514249.tif 000017
2019514249.tif 000018
2019514249.tif 000019
2019514249.tif 000020
2019514249.tif 000021
2019514249.tif 000022
2019514249.tif 000023